(57)【特許請求の範囲】
【請求項１】
物体側より順に、
変倍時固定であり光路を折り曲げるための反射光学素子を含む第1レンズ群G1と、
負の屈折力を有し変倍時可動の第2レンズ群G2と、
正の屈折力を有する第3レンズ群G3と、
正の屈折力を有する第4レンズ群G4と、
最後部レンズ群GRを有し、
広角端から望遠端に変倍する際、前記第3レンズ群G3が光軸上を物体側に移動し、かつ、前記第2レンズ群G2、前記第3レンズ群G3、前記第4レンズ群G4が相互の間隔を変えながら移動する結像光学系であって、
前記最後部レンズ群GRが以下の条件を満足することを特徴とする結像光学系。
０．９５＜βRw＜２．５  …（１）
但し、βRwは前記最後部レンズ群GRの結像倍率であって、広角端における前記結像光学系全系の結像倍率が０．０１以下となるいずれかの物点に合焦したときの結像倍率である。
【請求項２】
前記最後部レンズ群GRが第5レンズ群G5であることを特徴とする請求項１に記載の結像光学系。
【請求項３】
前記最後部レンズ群GRは変倍時に像面からの距離がそれぞれ一定の正レンズと負レンズ１つずつからなり、
以下の条件を満足することを特徴とする請求項１または請求項２に記載の結像光学系。
０．３＜ＮRn−ＮRp＜０．９  …（２）
但し、ＮRp、ＮRnはそれぞれ前記最後部レンズ群GRの前記正レンズ、前記負レンズを形成する媒質のｄ線に対する屈折率である。
【請求項４】
前記最後部レンズ群GRは変倍時に像面からの距離がそれぞれ一定の正レンズと負レンズ１つずつからなり、
以下の条件を満足することを特徴とする請求項１乃至請求項３のいずれか一項に記載の結像光学系。
１０＜νRp−νRn＜９０  …（３）
但し、νRp、νRnはそれぞれ前記最後部レンズ群GRの前記正レンズ、前記負レンズを形成する媒質のｄ線に対するアッベ数である。
【請求項５】
前記最後部レンズ群GRは正レンズと負レンズを接合した接合レンズからなることを特徴とする請求項１乃至請求項４のいずれか一項に記載の結像光学系。
【請求項６】
前記最後部レンズ群GRが以下の条件を満足することを特徴とする請求項１乃至請求項５のいずれか一項に記載の結像光学系。
１／RGRF＞１／RGRR  …（４）
−０．５＜（RGRF＋RGRR）／（RGRF−RGRR）＜６．５  …（５）
但し、RGRF 、RGRR は、それぞれ前記最後部レンズ群GRの最も物体側の面の近軸曲率半径、最も像側の面の近軸曲率半径である。
【請求項７】
前記第4レンズ群G4を物体側に繰り出すことでより近距離の被写体に合焦することが可能であり、
広角端における前記結像光学系全系の結像倍率の絶対値が０．０１以下となるいずれかの物点に合焦した状態で、広角端から望遠端に向かって変倍した際、前記第4レンズ群G4が前記最後部レンズ群GRに対して望遠端において広角端のときよりも相対的に近づくように移動する結像光学系であって、
以下の条件を満足することを特徴とする請求項１乃至請求項６のいずれか一項に記載の結像光学系。
−１．２≦β2w≦−０．４０  …（６）
−１．８≦β3w≦−０．４０  …（７）
但し、β2wは前記第2レンズ群G2の結像倍率、β3wは前記第3レンズ群G3の結像倍率であって、広角端における前記結像光学系の全系の結像倍率が０．０１以下となるいずれかの物点に合焦したときの結像倍率である。
【請求項８】
請求項１乃至請求項７のいずれか一項に記載の結像光学系と、電子撮像素子と、前記結像光学系を通じて結像した像を前記電子撮像素子で撮像することによって得られた画像データを加工して前記像の形状を変化させた画像データとして出力する画像処理手段とを有し、
前記結像光学系がズームレンズであり、
該ズームレンズが、無限遠物点合焦時に以下の条件式（２５）を満足することを特徴とする電子撮像装置。
０．７＜ｙ07／（ｆｗ・ｔａｎω07w）＜０．９６  …（２５）
ここで、
ｙ07は前記電子撮像素子の有効撮像面内（撮像可能な面内）で中心から最も遠い点までの距離（最大像高）をｙ10としたときｙ07＝０．７ｙ10として表され、
ω07wは広角端における前記撮像面上の中心からｙ07の位置に結ぶ像点に対応する物点方向の光軸に対する角度、
ｆｗは広角端における前記結像光学系の全系の焦点距離である。
【発明の詳細な説明】
【技術分野】
【０００１】
本発明は、撮像モジュールに使用される結像光学系（ズーム光学系）及び該結像光学系を有する電子撮像装置に関するものである。
【背景技術】
【０００２】
デジタルカメラは高画素数化（高画質化）や小型薄型化において実用レベルを達成し、機能的にも市場的にも銀塩３５ｍｍフィルムカメラにとって代わってしまった。そこで、次なる進化の方向の１つとして、そのままの小ささ薄さで高変倍比、広角化とともにさらなる高画素数化が強く求められている。
【０００３】
これまで、光学系の薄型化に強いとして用いられてきた結像光学系として、例えば、物体側から最初のレンズ群に光路を折り曲げるための反射光学素子を用いたものがある。このような結像光学系を用いればカメラ筐体の奥行きを極めて薄くすることが可能である（特許文献１、特許文献２）。
【０００４】
特許文献１や特許文献２の光学系では、最初のレンズ群の反射光学素子において、ある程度の画角を持った光束の進路を確実に折り曲げるようにしている。この場合、その画角に必要な広さの反射面を確保するために、第１レンズ群G1の光軸に沿った空気換算厚が必然的に厚くなってしまう。特に広角化すると、この部分の空気換算厚の増大が顕著になる。一方、前記空気換算厚が厚いほど反射面の広さが必要になる。そこで、これらの光学系では、反射面の直前に負の屈折力、直後に正の屈折力を配して反射面の広さを小さくし、空気換算厚もある程度薄くしている。
【０００５】
また、高倍率化した例としては特開２００６‐７１９９３号公報、特開２００６‐２０９１００号公報がある。
【０００６】
【特許文献１】特開２００３‐３０２５７６号公報
【特許文献２】特開２００４‐２６４３４３号公報
【特許文献３】特開２００６‐７１９９３号公報
【特許文献４】特開２００６‐２０９１００号公報
【発明の開示】
【発明が解決しようとする課題】
【０００７】
しかしながら、特許文献１や特許文献２の光学系では、第１レンズ群G1は縮小アフォーカルコンバーターを必然的に保有することになる。そして、これにより以降の光学系の合成焦点距離を長くしてしまう。この結果、全体の光学系は、全長の長い結像光学系となる。特に、高倍率化すると顕著になる。また、特許文献３や特許文献４の光学系では、いずれも色収差や像面湾曲の補正が不十分である。
【０００８】
本発明では、高い光学仕様や性能を有しながらも像面湾曲が良好に補正され、奥行きが薄く全長も短い結像光学系（ズーム光学系）、該結像光学系を搭載した電子撮像装置を提供することを目的とする。
【課題を解決するための手段】
【０００９】
上記目的を達成するために、本発明の結像光学系は、物体側より順に、変倍時固定であり光路を折り曲げるための反射光学素子を含む第1レンズ群G1と、負の屈折力を有し変倍時可動の第2レンズ群G2と、正の屈折力を有する第3レンズ群G3と、正の屈折力を有する第4レンズ群G4と、最後部レンズ群GRを有し、広角端から望遠端に変倍する際、前記第3レンズ群G3が光軸上を物体側に移動し、かつ、前記第2レンズ群G2、前記第3レンズ群G3、前記第4レンズ群G4が相互の間隔を変えながら移動する結像光学系であって、前記最後部レンズ群GRが以下の条件を満足することを特徴とする。
０．９５＜βRw＜２．５  …（１）
但し、βRwは前記最後部レンズ群GRの結像倍率であって、広角端における前記結像光学系全系の結像倍率が０．０１以下となるいずれかの物点に合焦したときの結像倍率である。
【００１０】
また、本発明の電子撮像装置は、上述の結像光学系と、電子撮像素子と、前記結像光学系を通じて結像した像を前記電子撮像素子で撮像することによって得られた画像データを加工して前記像の形状を変化させた画像データとして出力する画像処理手段とを有し、前記結像光学系がズームレンズであり、該ズームレンズが、無限遠物点合焦時に以下の条件式（２５）を満足することを特徴とする。
０．７＜ｙ07／（ｆｗ・ｔａｎω07w）＜０．９６  …（２５）
ここで、
ｙ07は前記電子撮像素子の有効撮像面内（撮像可能な面内）で中心から最も遠い点までの距離（最大像高）をｙ10としたときｙ07＝０．７ｙ10として表され、
ω07wは広角端における前記撮像面上の中心からｙ07の位置に結ぶ像点に対応する物点方向の光軸に対する角度、
ｆｗは広角端における前記結像光学系の全系の焦点距離である。
である。
【発明の効果】
【００１１】
本発明では、高い光学仕様性能を有しながらも像面湾曲が良好に補正され、奥行きが薄く全長も短い結像光学系（ズーム光学系）、該結像光学系を搭載した電子撮像装置を提供することが可能となる。
【発明を実施するための最良の形態】
【００１２】
実施例の説明に先立ち、本実施形態の結像光学系の作用効果について説明する。なお、以下の説明において、正（あるいは正の屈折力の）レンズ、負（あるいは負の屈折力の）レンズとは、それぞれ近軸焦点距離が正の値、負の値のレンズをさす。
【００１３】
本実施形態の結像光学系は、物体側より順に、変倍時固定であり光路を折り曲げるための反射光学素子を含む第1レンズ群G1と、負の屈折力を有し変倍時可動の第2レンズ群G2と、正の屈折力を有する第3レンズ群G3と、正の屈折力を有する第4レンズ群G4と、最後部レンズ群GRを有し、広角端から望遠端に変倍する際、第3レンズ群G3が光軸上を物体側に移動する光学系である。このとき、第3レンズ群G3と第4レンズ群G4は、変倍時には互いの相対位置が変化する。あるいは、後述のように、第2レンズ群G2、第3レンズ群G3、第4レンズ群G4が相互の間隔を変えながら移動する。
【００１４】
本実施形態の結像光学系では、最初のレンズ群（第1レンズ群G1）に光路折り曲げのための反射光学素子を配置している。このような配置を採用すると、光学系の全長が長くなる傾向が強くなる。特に、高倍率化、広角化、大口径比化すると、この傾向が顕著に現れる。
【００１５】
そこで、本実施形態の結像光学系は、最後部レンズ群GRが以下の条件を満足する。
０．９５＜βRw＜２．５  …（１）
ここで、βRwは最後部レンズ群GRの結像倍率であって、広角端における結像光学系全系の結像倍率が０．０１以下となるいずれかの物点に合焦したときの結像倍率である。
【００１６】
条件式（１）の下限値を下回ると、高倍率化、広角化、大口径比化と、全長の短縮との両立が困難である。条件式（１）の上限値を上回ると、ペッツバール和が負の大きな値になるので、像面の湾曲が著しく発生する。
【００１７】
なお、上記条件式（１）に代えて、以下の条件式（１’）を満たすと望ましい。
１．０５＜βRw＜２．４  …（１’）
さらに、上記条件式（１）に代えて、以下の条件式（１”）を満たすと最も望ましい。
１．１５＜βRw＜２．３  …（１”）
【００１８】
なお、第４レンズ群G4に続くレンズ群は最後部レンズ群GRのみとするのが好ましい。このようにすると、光学系全体として5つのレンズ群のみで構成することになるので、光学系の全長を短縮することができる。このとき、最後部レンズ群GRは第5レンズ群G5になる。
【００１９】
また、本実施形態の結像光学系では、ペッツバール和が負の大きな値になりがちである。そこで、本実施形態の結像光学系では、最後部レンズ群GRは変倍時に像面からの距離が一定のレンズ成分のみからなり、以下の条件を満足するとよい。特に、最後部レンズ群GRは正レンズと負レンズ１つずつからなるのが好ましい（なお、レンズ成分とは、単レンズもしくは接合レンズを指す）。
０．３０＜ＮRn−ＮRp＜０．９０  …（２）
但し、ＮRp、ＮRnはそれぞれ最後部レンズ群GRの正（凸）レンズ、負（凹）レンズを形成する媒質のｄ線に対する屈折率である。
【００２０】
条件式（２）は、他の収差に悪影響を与えずに像面湾曲の補正状態を良くするための条件である。条件式（２）の下限値を下回ると、ペッツバール和が負の大きな値になるので、像面の湾曲が著しく発生する。条件式（２）の上限を上回ると、接合面によるゴーストやベーリンググレアの発生度合いが増える。
【００２１】
また、上記条件式（２）に代えて、以下の条件式（２’）を満たすと望ましい。
０．３５＜ＮRn−ＮRp＜０．８５  …（２’）
さらに、上記条件式（２）に代えて、以下の条件式（２”）満たすと最も望ましい。
０．４０＜ＮRn−ＮRp＜０．８０  …（２”）
【００２２】
また、本実施形態の結像光学系では、前述のとおり、第1レンズ群G1内に反射光学素子を挿入している。そのため、第1レンズ群G1内では、負の屈折力の部分（レンズ成分）と正の屈折力の部分（レンズ成分）とが離れることになる。特に、第1レンズ群G1の物体側に位置する負の屈折力の部分に、軸上色収差補正のために高分散材料を用いると、倍率色収差が補正不足になる。
【００２３】
そこで、本実施形態の結像光学系では、最後部レンズ群GRは変倍時に像面からの距離が一定のレンズ成分のみからなり、以下の条件を満足するとよい。特に、最後部レンズ群GRは正レンズと負レンズ１つずつからなるのが好ましい。
１０＜νRp−νRn＜９０  …（３）
但し、νRp、νRnはそれぞれ最後部レンズ群GRの正（凸）レンズ、負（凹）レンズを形成する媒質のｄ線に対するアッベ数である。
【００２４】
条件式（３）の下限値を下回ると、倍率色収差の補正不足の解消が困難になりやすくなる。一方、条件式（３）の上限値を上回ると、倍率色収差が補正過剰になりやすい。
【００２５】
また、上記条件式（３）に代えて、以下の条件式（３’）を満たすと望ましい。
１５＜νRp−νRn＜８５  …（３’）
さらに、上記条件式（３）に代えて、以下の条件式（３”）を満たすと最も望ましい。
２０＜νRp−νRn＜８０  …（３”）
【００２６】
なお、本実施形態の結像光学系は、条件式（２）、（３）を両方満たすのがなお良い。
【００２７】
また、本実施形態の結像光学系では、最後部レンズ群GRは正（凸）レンズと負（凹）レンズを接合した接合レンズにて構成するのが好ましい。
【００２８】
また、本実施形態の結像光学系では、最後部レンズ群GRが以下の条件を満足するのがよい。
１／RGRF＞１／RGRR  …（４）
−０．５＜（RGRF＋RGRR）／（RGRF−RGRR）＜６．５  …（５）
ここで、RGRF 、RGRR は、それぞれ最後部レンズ群GRの最も物体側の面の近軸曲率半径、最も像側の面の近軸曲率半径である。
【００２９】
条件式（５）の下限を下回ると、広角端において強い樽型の歪曲収差が発生しやすい。一方、条件式（５）の上限を上回ると、結像光学系にデッドスペースが多くなり小型化するには好ましくない。
【００３０】
なお、条件式（４）は、条件式（１）を満たしながらも接合レンズ成分の形状が凸レンズの形状であることを示している。また、条件式（２）を満たした場合、該接合レンズ成分の形状は上記条件式（５）を満足することが好ましい。
【００３１】
なお、上記条件式（５）に代えて、以下の条件式（５’）を満たすと望ましい。
０．５＜（RGRF＋RGRR）／（RGRF−RGRR）＜５．５  …（５’）
さらに、上記条件式（５）に代えて、以下の条件式（５”）を満たすと最も望ましい。
１．５＜（RGRF＋RGRR）／（RGRF−RGRR）＜４．５  …（５”）
【００３２】
ところで、本実施形態の結像光学系では、第4レンズ群G4を物体側に繰り出すことで、より近距離の被写体に合焦することが可能である。そして、広角端から望遠端に向かって変倍した際、第4レンズ群G4が最後部レンズ群GRに対して、望遠端において広角端のときよりも相対的に近づくように移動する。なお、このような移動は、広角端における全系の結像倍率の絶対値が０．０１以下となるいずれかの物点に合焦した状態で生じる。
【００３３】
そして、本実施形態の結像光学系は、以下の条件を満足するとよい。
−１．２≦β2w≦−０．４０  …（６）
−１．８≦β3w≦−０．４０  …（７）
但し、β2wは第2レンズ群G2の結像倍率、β3wは前記第3レンズ群G3の結像倍率であって、広角端における全系の結像倍率が０．０１以下となるいずれかの物点に合焦したときの結像倍率である。
【００３４】
条件式（６）の下限を下回ると、第3レンズ群G3の移動による変倍比が小さくなりやすい。一方、条件式（６）の上限を上回ると、第2レンズ群G2の移動による変倍比が小さくなりやすい。
【００３５】
なお、上記条件式（６）に代えて、以下条件式（６’）を満たすと望ましい。
−１．２≦β2ｗ≦−０．５０  …（６’）
さらに、上記条件式（６）に代えて、以下の条件式（６”）を満たすと最も望ましい。
−１．２≦β2ｗ≦−０．６０  …（６”）
【００３６】
また、上記条件式（７）に代えて、以下の条件式（７’）を満たすと望ましい。
−１．６≦β3ｗ≦−０．４０  …（７’）
さらに、上記条件式（７）に代えて、以下の条件式（７”）を満たすと最も望ましい。
−１．４≦β3ｗ≦−０．４０  …（７”）
【００３７】
また、本実施形態の結像光学系では、第4レンズ群G4は1つのレンズ成分で構成して良い。その場合、第3レンズ群G3は広角端から望遠端に向かって変倍する際に物体側に移動するのが好ましい。
【００３８】
また、第3レンズ群以降のレンズ群をいわゆる主レンズ系とした場合、全長を短くする手段の１つとして、この主レンズ系の主点位置がより物体側に位置するように、主レンズ系を構成するのが良い。そのためには、第３レンズ群G3の最も物体側に正のレンズ成分、最も像側に負のレンズ成分を配するのが良い。更に、第３レンズ群G3の最も像側の面を凹面とするのがよい。このようにすると、第３レンズ群G3が移動量の割に変倍比を稼ぎやすい（第３レンズ群G3の移動量が少なくても変倍比を大きくできる）ので好ましい。
【００３９】
また、第3レンズ群G3の負のレンズ成分は、最も物体側が正レンズ、最も像側が負レンズの接合レンズC3で構成するのが好ましい。このようにすると、球面収差や色収差を補正するうえで有利である。なお、光学系の全長を短くしようとしたとき、第3レンズ群G3の負のレンズ成分の肉厚公差は著しく厳しくなる。それは、該レンズ成分の最も物体側の面と最も像側の面の相対位置関係の誤差感度が高いためである。そして、第3レンズ群G3が全体的に薄いほど、公差の厳しさが顕著になる。
【００４０】
このように、公差が厳しいレンズ成分では、この負のレンズ成分を3つのレンズ要素の接合レンズとするのが好ましい。そして、中央のレンズ要素ＬA3の材料として、エネルギー硬化型（たとえば紫外線硬化型）樹脂を用いるようにする。そして、接合時に、このレンズ成分の最も物体側の面と最も像側の面の（厚みや偏心などの）相対位置関係を厳密に調整する。すなわち、まず、最も物体側の面を持つレンズと最も像側の面を持つレンズの位置関係を厳密に調整する。そして、このようにしたうえで、中央のレンズ要素ＬA3を硬化させてレンズ成分を作製すればよい。なお、相対位置関係としては、例えば、厚みや偏心などがある。
【００４１】
また、色収差補正を良好に補正できるようにするためには、色収差補正に関して、設計的自由度を持たせることが必要である。そこで、本実施形態の結像光学系では、中央のレンズ要素ＬA3を構成する媒質は以下の条件式（８）を満たすようにすると良い。
νd（ＬA3）≦２７  …（８）
ここで、νd（ＬA3）はｄ線に対するアッベ数であり、ｄ線に対するアッベ数は（ｎd−1）／（ｎF−ｎC）で表される。
【００４２】
条件式（８）の上限を上回ると、色収差補正に設計的自由度を持たせることが出来なくなる。
【００４３】
なお、上記条件式（８）に代えて、以下の条件式（８’）を満たすと望ましい。
νd（ＬA3）≦２５      …（８’）
さらに、上記条件式（８）に代えて、以下の条件式（８”）を満たすと最も望ましい。
νd（ＬA3）≦２３．５  …（８”）
【００４４】
また、本実施形態の結像光学系では、中央のレンズ要素ＬA3を負（凹）レンズとし、横軸をνd、及び縦軸をθgFとする直交座標系において、
θgF＝α×νd＋β(ＬA3)（但し、α＝−０．００１６３）
で表される直線を設定したときに、以下の条件式（９）の範囲の下限値であるときの直線、及び上限値であるときの直線で定まる領域に、中央のレンズ要素ＬA3のθgFが含まれるようにするのがよい。
０．２５００＜β(ＬA3)＜０．６４５０  …（９）
但し、θｇFは該媒質の部分分散比（ｎg−ｎF）／（ｎF−ｎC）であり、ｎd、ｎC、ｎF、ｎgは各々ｄ線、Ｃ線、Ｆ線、ｇ線の屈折率をそれぞれ表す。
【００４５】
条件式（９）の上限値を上回るかまたは下限値を下回ると、二次スペクトルによる軸上および倍率色収差、つまりＦ線とＣ線で色消しをしたときのｇ線の軸上および倍率色収差補正が十分でなくなる。そのため、撮像で得た画像において、鮮鋭さを確保しづらい。
【００４６】
なお、上記条件式（９）に代えて、以下の条件式（９’）を満たすと望ましい。
０．４７００＜β(ＬA3)＜０．６３５０  …（９’）
さらに、上記条件式（９）に代えて、以下の条件式（９”）を満たすと最も望ましい。
０．５７００＜β(ＬA3)＜０．６２５０  …（９”）
【００４７】
上記のように、第3レンズ群G3の負のレンズ成分を3枚のレンズによる接合レンズにした場合、中央のレンズ要素ＬA3（凹レンズ）をエネルギー硬化型樹脂とするのが良い。また、接合レンズの製作では、まず、他の2枚の相対位置関係を厳密に調整する。そして、その後に中央のレンズ要素ＬA3を密着硬化するのがよい。ただし、最も像側のレンズ要素も負レンズ（凹レンズ）である。そこで、中央のレンズ要素ＬA3（凹レンズ）の代わりに、最も像側のレンズ要素をエネルギー硬化型樹脂としても良い。そして、他の2枚のレンズ要素を接合した後に、相対位置関係を厳密に調整するように最も像側のレンズ要素を密着硬化するようにして作製してもよい。なお、この場合、最も像側のレンズ要素は、中央のレンズ要素ＬA3と同様に上記の条件を満足するようにしても良い。
【００４８】
さて、反射光学素子を有する第1レンズ群G1の構成は、通常、反射光学素子の物体側に負の屈折力のレンズ成分、像側に正の屈折力のレンズ成分が配される。ここで、結像光学系の奥行きを薄く保ちつつ高ズーム比化、広角化、大口径比化するために、以下のいずれかの構成をとるのがより好ましい。
【００４９】
Ａ．第1レンズ群G1は物体側から順に、像側の面が凹面である負レンズ成分と、反射光学素子と、１つ又は2つの正レンズ成分で構成する。
Ｂ．第1レンズ群G1は物体側から順に、入射面が凹面でかつ反射面と射出面を有するプリズム素子と、1つ又は2つの正レンズ成分で構成する。
Ｃ．第1レンズ群G1は物体側から順に、像側の面が凹面である負レンズ成分と、入射面が凹面でかつ反射面と射出面を有するプリズム素子と、2つの正レンズ成分で構成する。
Ｄ．第１レンズ群G1は物体側から順に、像側の面が凹面である負レンズ成分と、入射面と反射面を有し射出面が凸面の反射光学素子と、正レンズ成分のみから構成する。
【００５０】
特に、Ｃ．の構成の場合、高倍率化と広角化の両立しつつ、奥行きを薄くすることができる。また、Ｄ．の場合、高倍率化を実現できる。
【００５１】
この様に、物体側から順に、負の屈折力のレンズ成分、反射光学素子、正の屈折力のレンズ成分となる構成では、負の屈折力のレンズ成分と正の屈折力のレンズ成分における空気換算長が長くなる。そのため、負の屈折力のレンズ成分における軸上光線高と、正の屈折力のレンズ成分における軸上光線高との較差（格差）が大きくなる。この状態で全長短縮や奥行きの薄型化を実施すると、各レンズ成分の屈折力が増大する。その結果、正の屈折力のレンズ成分で発生する球面収差の色収差を、負の屈折力のレンズ成分で補正出来なくなる。特に、変倍率が高い結像光学系では、望遠端にてその傾向が顕著に現れる。
【００５２】
この場合、前述したＡ〜Ｄのいずれかの構成を用いつつ、第１レンズ群G1のいずれかの正レンズ成分を、正レンズと負レンズを接合した接合レンズC1とするのが良い。このようにすることで、望遠端における球面収差の色収差を改善することが可能になる。さらに、接合レンズC1の接合面を非球面とすれば、望遠端における球面収差の色収差をほぼ良好に補正できる。
【００５３】
なお、本実施形態の結像光学系では、接合レンズC1における正レンズのアッベ数は負レンズのアッベ数よりも大きく、以下の条件式（１０）を満足したほうが良い。
７≦Δνd（C1）  …（１０）
ここで、Δνd（C1）は接合レンズC1における正レンズの負レンズに対するアッベ数の差である。
【００５４】
条件式（１０）の下限値を下回ると、望遠端における球面収差の色収差を良好に補正することが困難になる。仮に、接合面を非球面にしたとしても、望遠端における球面収差の色収差を良好に補正する効果は薄れる。
【００５５】
なお、上記条件式（１０）に代えて、以下の条件式（１０’）を満たすと望ましい。
１２≦Δνd（C1）  …（１０’）
さらに、上記条件式（１０）に代えて、以下の条件式（１０”）を満たすと最も望ましい。
１７≦Δνd（C1）  …（１０”）
【００５６】
また、本実施形態の結像光学系では、接合レンズC1における正レンズと負レンズは、以下の条件式（１１）も満足しておいたほうが良い。
−０．２≦Δｎd（C1）≦０．４  …（１１）
ここで、Δｎd（C1）は接合レンズC1における正レンズの負レンズに対する屈折率差であって、正レンズの屈折率から負レンズの屈折率を引いたものである。
【００５７】
条件式（１１）の下限値を下回ると、ペッツバール和が負の大きな値になりやすい。また、条件式（１１）の上限値を上回ると、接合非球面を用いて球面収差の色収差や倍率色の高次成分を補正しようとした場合、他の収差補正に悪影響を及ぼす。
【００５８】
なお、上記条件式（１１）に代えて、以下の条件式（１１’）を満たすと望ましい。
−０．１５≦Δｎd（C1）≦０．３５  …（１１’）
さらに、上記条件式（１１）に代えて、以下の条件式（１１”）を満たすと最も望ましい。
−０．１≦Δｎd（C1）≦０．３      …（１１”）
【００５９】
また、本実施形態の結像光学系では、横軸をνd、及び縦軸をθgFとする直交座標系において、
θgF＝α×νd＋β(ＬA1)（但し、α＝−０．００１６３）
で表される直線を設定したときに、以下の条件式（１２）の範囲の下限値であるときの直線、及び上限値であるときの直線で定まる領域と、以下の条件式（１３）で定まる領域との両方の領域に、接合レンズC1を構成する少なくとも一つの負レンズＬA1のθgF及びνdが含まれるようにすると良い。
０．４５００＜β(ＬA1)＜０．７１００  …（１２）
３＜νd(ＬA1)＜３０  …（１３）
ここで、θgFは部分分散比（ｎg−ｎF）／（ｎF−ｎC）、νdはアッベ数（ｎd−1）／（ｎF−ｎC）、ｎd、ｎC、ｎF、ｎgは各々ｄ線、Ｃ線、Ｆ線、ｇ線の屈折率をそれぞれ表す。
【００６０】
条件式（１２）の上限値を上回ると、結像光学系の望遠端における二次スペクトルによる軸上色収差および倍率色収差、つまりＦ線とＣ線で色消しをしたときのｇ線の軸上色収差および倍率色収差の補正が十分でなくなる。そのため、特に望遠側の撮像で得た画像において、画面全体に亘り鮮鋭さを確保しづらい。条件式（１２）の下限値を下回ると、結像光学系の広角端における二次スペクトルによる倍率色収差、つまりＦ線とＣ線で色消しをしたときのg線の倍率色収差補正が十分でなくなる。そのため、広角側の撮像で得た画像において、画像周辺部の鮮鋭さを確保しづらい。
【００６１】
条件式（１３）の上限値を上回ると、Ｆ線とＣ線との色消し自体が困難となる。条件式（１３）の下限値を下回ると、Ｆ線とＣ線との色消しが出来たとしても、ザイデルの５収差に対する補正効果が少なくなる。
【００６２】
また、本実施形態の結像光学系では、上記の直交座標とは別の、横軸をνd、及び縦軸をθhgとする直交座標系において、
θhg＝αhg×νd＋βhg(ＬA1)（但し、αhg＝−０．００２２５）
で表される直線を設定したときに、以下の条件式（１４）の範囲の下限値であるときの直線、及び上限値であるときの直線で定まる領域と、以下の条件式（１３）で定まる領域との両方の領域に、接合レンズC1を構成する少なくとも一つの負レンズＬA1のθhg及びνdが含まれるようにすると良い。
０．４０００＜βhg(ＬA1)＜０．６８００  …（１４）
３＜νd＜３０  …（１３）
ここで、θhgは部分分散比（ｎh−ｎg）／（ｎF−ｎC）、ｎhはｈ線の屈折率をそれぞれ表す。
【００６３】
条件式（１４）の上限値を上回ると、結像光学系の望遠端における二次スペクトルによる軸上色収差および倍率色収差、つまりＦ線とＣ線で色消しをしたときのｈ線の軸上色収差および倍率色収差の補正が十分でなくなる。そのため、特に望遠側の撮像で得た画像において、画面全体に亘り紫の色フレア、色にじみが発生しやすい。条件式（１４）の下限値を下回ると、結像光学系の広角端における二次スペクトルによる倍率色収差、つまりＦ線とＣ線で色消しをしたときのｈ線の倍率色収差補正が十分でなくなる。そのため、広角側の撮像した画像において、画像周辺部に紫の色フレア、色にじみが発生しやすい。
【００６４】
また、本実施形態の結像光学系では、横軸をνd、及び縦軸をθgFとする直交座標系において、
θgF＝α×νd＋β(ＬB1)（但し、α＝−０．００１６３）
で表される直線を設定したときに、以下の条件式（１５）の範囲の下限値であるときの直線、及び上限値であるときの直線で定まる領域と、以下の条件式（１６）で定まる領域との両方の領域に、所定のレンズのθgF及びνdが含まれるようにすると良い。
０．６２００＜β(ＬB1)＜０．８５００  かつ
θgF＞０．５５００  …（１５）
３５＜νd＜１２０  …（１６）
ここで、所定のレンズとは、接合レンズC1を構成する少なくとも一つの正レンズＬB1、又はレンズ群G1の別の正レンズ要素ＬOであり、θgFは部分分散比（ｎg−ｎF）／（ｎF−ｎC）、νdはアッベ数（ｎd−1）／（ｎF−ｎC）、ｎd、ｎC、ｎF、ｎgは各々ｄ線、Ｃ線、Ｆ線、ｇ線の屈折率をそれぞれ表す。なお、(ＬB1)の添え字は(ＬO)でもよい。
【００６５】
条件式（１５）の上限値を上回ると、結像光学系の広角端における二次スペクトルによる倍率色収差、つまりＦ線とＣ線で色消しをしたときのｇ線の倍率色収差補正が十分でなくなる。そのため、広角側の撮像で得た画像において、画像周辺部の鮮鋭さを確保しづらい。条件式（１５）の下限値を下回ると、結像光学系の望遠端における二次スペクトルによる軸上色収差および倍率色収差、つまりＦ線とＣ線で色消しをしたときのｇ線の軸上色収差および倍率色収差の補正が十分でなくなる。そのため、特に望遠側での撮像で得た画像において、画面全体に亘り鮮鋭さを確保しづらい。
【００６６】
条件式（１６）の上限値を上回ると、Ｆ線とＣ線との色消しが出来たとしても、ザイデルの５収差に対する補正効果が少なくなる。条件式（１６）の下限値を下回ると、Ｆ線とＣ線との色消し自体が困難となる。
【００６７】
また、本実施形態の結像光学系では、横軸をνd、及び縦軸をθhgとする上記の直交座標系において、
θhg＝αhg×νd＋βhg(ＬB1)（但し、αhg＝−０．００２２５）
で表される直線を設定したときに、以下の条件式（１７）の範囲の下限値であるときの直線、及び上限値であるときの直線で定まる領域と、以下の条件式（１６）で定まる領域との両方の領域に、所定のレンズのθhg及びνdが含まれるようにすると良い。
０．５４００＜βhg(ＬB1)＜０．８７００  かつ
θhg＞０．４５００  …（１７）
３５＜νd＜１２０  …（１６）
ここで、所定のレンズとは、接合レンズC1を構成する少なくとも一つの正レンズＬB1、又はレンズ群G1の別の正レンズ要素ＬOであり、θhgは部分分散比（ｎh−ｎg）／（ｎF−ｎC）、ｎhはｈ線の屈折率をそれぞれ表す。なお、(ＬB1)の添え字は(ＬO)でもよい。
【００６８】
条件式（１７）の上限値を上回ると、結像光学系の広角端における二次スペクトルによる倍率色収差、つまりＦ線とＣ線で色消しをしたときのｈ線の倍率色収差補正が十分でなくなる。そのため、広角側の撮像で得た画像において、画像周辺部に紫の色フレア、色にじみが発生しやすい。条件式（１７）の下限値を下回ると、結像光学系の望遠端における二次スペクトルによる軸上色収差および倍率色収差、つまりＦ線とＣ線で色消しをしたときのｈ線の軸上色収差および倍率色収差の補正が十分でなくなる。そのため、特に望遠側での撮像で得た画像において、画面全体に亘り紫の色フレア、色にじみが発生しやすい。
【００６９】
続いて、前記第２レンズ群G2について説明する。全長の短縮や広角化を進めた光学系では、像高に関する高次の倍率色収差が広角側で発生しがちである。このことは、本実施形態の結像光学系においても当てはまる。そこで、本実施形態の結像光学系では、第２レンズ群G2に、複数のレンズを接合してなる接合レンズC2を配し、そのいずれかの接合面を非球面とするとしている。そして、この接合レンズC2を正レンズと負レンズを接合して構成している。
【００７０】
ここで、本実施形態の結像光学系では、接合レンズC2における負レンズのアッベ数は正レンズのアッベ数よりも大きく、以下の条件式（１８）を満足したほうが良い。
１２≦Δνd（C2）  …（１８）
ここで、Δνd（C2）は接合レンズC2における負レンズの正レンズに対するアッベ数の差である。
【００７１】
条件式（１８）の下限値を下回ると、接合面を設けることも、接合面を非球面にすることも効果が薄れる。
【００７２】
なお、上記条件式（１８）に代えて、以下の条件式（１８’）を満たすと望ましい。
１７≦Δνd（C2）  …（１８’）
さらに、上記条件式（１８）に代えて、以下の条件式（１８”）を満たすと最も望ましい。
２２≦Δνd（C2）  …（１８”）
【００７３】
また、本実施形態の結像光学系では、接合レンズC2における正レンズと負レンズは、以下の条件式（１９）も満足しておいたほうが良い。
−０．７≦Δｎd（C2）≦０．２  …（１９）
ここで、Δｎd（C2）は 接合レンズC2における負レンズの正レンズに対する屈折率差である。
【００７４】
条件式（１９）の下限値を下回ると、ペッツバール和が負の大きな値になりやすい。また、条件式（１９）の上限値を上回ると、接合非球面を用いて球面収差の色収差や倍率色の高次成分を補正しようとした場合、他の収差補正に悪影響を及ぼす。
【００７５】
また、上記条件式（１９）に代えて、以下の条件式（１９’）を満たすと望ましい。
−０．６≦Δｎd（C2）≦０．１  …（１９’）
さらに、上記条件式（１９）に代えて、以下の条件式（１９”）を満たすと最も望ましい。
−０．５≦Δｎd（C2）≦０．０  …（１９”）
【００７６】
また、倍率色収差には像高に関する高次項があるほかに、軸上色収差を含めて波長に関する高次項、つまり二次スペクトルによる残存色収差がある。二次スペクトルによる残存色収差の補正に対して接合非球面は効果が無いので、レンズを構成する媒質の部分分散特性を変えるしかない。
【００７７】
そこで、本実施形態の結像光学系では、横軸をνd、及び縦軸をθgFとする直交座標系において、
θgF＝α×νd＋β(ＬA2)（但し、α＝−０．００１６３）
で表される直線を設定したときに、以下の条件式（２０）の範囲の下限値であるときの直線、及び上限値であるときの直線で定まる領域と、以下の条件式（２１）で定まる領域との両方の領域に、接合レンズC2を構成する少なくとも一つのレンズＬA2のθgF及びνdが含まれるようにすると良い。
０．６４００＜β(ＬA2)＜０．９０００  …（２０）
３＜νd＜５０  …（２１）
ここで、θgFは部分分散比（ｎg−ｎF）／（ｎF−ｎC）、νdはアッベ数（ｎd−1）／（ｎF−ｎC）、ｎd、ｎC、ｎF、ｎgは各々ｄ線、Ｃ線、Ｆ線、ｇ線の屈折率をそれぞれ表わす。
【００７８】
条件式（２０）の上限を上回ると、結像光学系の広角端における二次スペクトルによる倍率色収差、つまりＦ線とＣ線で色消しをしたときのｇ線の倍率色収差補正が十分でなくなる。そのため、広角端の撮像で得た画像において、画像周辺部の鮮鋭さを確保しづらい。条件式（２０）の下限値を下回ると、結像光学系の望遠端における二次スペクトルによる軸上色収差、つまりＦ線とＣ線で色消しをしたときのｇ線の軸上色収差補正が十分でなくなる。そのため、特に望遠側での撮像で得た画像において、画面全体に亘り鮮鋭さを確保しづらい。
【００７９】
条件式（２１）の上限を上回ると、Ｆ線とＣ線との色消し自体が困難となる。条件式（２１）の下限を下回ると、Ｆ線とＣ線との色消しが出来たとしても、ザイデルの５収差の補正効果が少なくなる。
【００８０】
なお、条件式（２０）に代えて、次の条件式（２０’）を満足すると、より好ましい。
０．６６００＜β(ＬA2)＜０．９０００  …（２０’）
さらに、条件式（２０）に代えて、次の条件式（２０”）を満足すると、より一層好ましい。
０．６８００＜β(ＬA2)＜０．７８５０  …（２０”）
【００８１】
なお、条件式（２１）に代えて、次の条件式（２１’）を満足すると、より好ましい。
３＜νd(ＬA2)＜３０  …（２１’）
さらに、条件式（２１）に代えて、次の条件式（２１”）を満足すると、より一層好ましい。
３＜νd(ＬA2)＜１７．４  …（２１”）
【００８２】
また、本実施形態の結像光学系では、横軸をνd、及び縦軸をθhgとする上記の直交座標系において、
θhg＝αhg×νd＋βhg(ＬA2)（但し、αhg＝−０．００２２５）
で表される直線を設定したときに、以下の条件式（２２）の範囲の下限値であるときの直線、及び上限値であるときの直線で定まる領域と、以下の条件式（２１）で定まる領域との両方の領域に、接合レンズC2を構成する少なくとも一つのレンズＬA2のθhg及びνdが含まれるようにすると良い。
０．６２００＜βhg(ＬA2)＜０．９０００  …（２２）
３＜νd＜５０  …（２１）
ここで、θhgは部分分散比（ｎh−ｎg）／（ｎF−ｎC）、ｎhはｈ線の屈折率を表す。
【００８３】
条件式（２２）の上限を上回ると、結像光学系の広角端における二次スペクトルによる倍率色収差、つまりＦ線とＣ線で色消しをしたときのｈ線の倍率色収差補正が十分でなくなる。そのため、広角端の撮像で得た画像において、画像周辺部に紫の色フレア、色にじみが発生しやすい。条件式（２２）の下限を下回ると、結像光学系の望遠端における二次スペクトルによる軸上色収差、つまりF線とC線で色消しをしたときのｈ線の軸上色収差補正が十分でなくなる。そのため、特に望遠側にて撮像で得た画像において、画面全体に亘り紫の色フレア、色にじみが発生しやすい。
【００８４】
なお、レンズＬA2は正レンズであるほうが好ましい。また、レンズＬAが接合される相手のレンズについては負レンズであるほうが好ましい。
【００８５】
また、接合レンズは、光軸中心厚の薄い第一のレンズと、第二のレンズとを有するのが好ましい。このような接合レンズとしては、例えば、上記の第1レンズ群G1の接合レンズC1、第2レンズ群G2の接合レンズC2、第3レンズ群G3の接合レンズC3がある。
【００８６】
第１レンズ群G1の正レンズ成分の1つを接合レンズとする場合は、第一のレンズが負レンズで第二のレンズが正レンズであり、条件式（１０）乃至（１７）を満足することが好ましい。
【００８７】
第2レンズ群G2に接合レンズを設ける場合は、第一のレンズが正レンズで第二のレンズが負レンズであり、条件式（１８）乃至（２２）を満足することが好ましい。
【００８８】
第3レンズ群G3に接合レンズを設ける場合は、接合レンズを3枚接合とするのが好ましい。そして、第一のレンズが中央のレンズ要素で第二のレンズが両端のいずれか一方のレンズであり、第一のレンズが条件式（８）乃至（９）を満足することが好ましい。このようにすると、各収差（特に色収差）の更なる補正効果の向上や、レンズ群の更なる薄型化が期待できる。
【００８９】
また、接合レンズC1,C2,C3では、複合レンズで構成されていることが望ましい。複合レンズは、第二のレンズ表面に第一のレンズとして樹脂を密着硬化させることで実現できる。接合レンズを複合レンズにすることで、製造精度を向上させることができる。複合レンズ製造方法としては成形がある。成形では、第二のレンズに対して第一のレンズ材料（例えばエネルギー硬化型透明樹脂など）を接触させて、第一のレンズ材料を第二のレンズに直接密着させる構成がある。この構成は、レンズ要素を薄くしたり、接合面を非球面化するのには極めて有効な構成である。なお、エネルギー硬化型透明樹脂の例として、紫外線硬化型樹脂がある。また、第二のレンズにはあらかじめコーティングなど表面処理がなされていてもかまわない。
【００９０】
また、接合レンズを複合レンズにする場合、第二のレンズ表面に第一のレンズとしてガラスを密着硬化させてもよい。ガラスは樹脂比べて、耐光性、耐薬品性等の耐性の面で有利である。この場合、第一のレンズ材料の特性としては、第二のレンズ材料よりも融点、転移点が低いことが必要である。複合レンズ製造方法としては成形がある。成形では、第二のレンズに対して第一のレンズ材料を接触させて、第一のレンズ材料を第二のレンズに直接密着させる構成がある。この構成は、レンズ要素を薄くするのには極めて有効な構成である。なお、第二のレンズにはあらかじめコーティングなど表面処理がなされていてもかまわない。
【００９１】
ところで、ここで無限遠物体を歪曲収差がない光学系で結像したとする。この場合、結像した像に歪曲がないので、
ｆ＝ｙ／ｔａｎω  …（２３）
が成立する。
【００９２】
ここで、ｙは像点の光軸からの高さ、ｆは結像光学系系の焦点距離、ωは撮像面上の中心からｙの位置に結ぶ像点に対応する物点方向の光軸に対する角度である。
一方、光学系に樽型の歪曲収差がある場合は、
ｆ＞ｙ／ｔａｎω  …（２４）
となる。つまり、ｆとｙとを一定の値とするならば、ωは大きな値となる。
【００９３】
そこで、電子撮像装置には、特に広角端近傍の焦点距離において、意図的に大きな樽型の歪曲収差を有した光学系を用いるのが良い。この場合、歪曲収差を補正しなくて済む分だけ、光学系の広画角化が達成できる。
【００９４】
ただし、物体の像は、樽型の歪曲収差を有した状態で電子撮像素子上に結像する。そこで、電子撮像装置では、電子撮像素子で得られた画像データを、画像処理で加工するようにしている。この加工では、樽型の歪曲収差を補正するように、画像データ（画像の形状）を変化させる。
このようにすれば、最終的に得られた画像データは、物体とほぼ相似の形状を持つ画像データとなる。よって、この画像データに基づいて、物体の画像をＣＲＴやプリンターに出力すればよい。  
【００９５】
そこで、結像光学系（ズーム光学系）には、ほぼ無限遠物点合焦時に次の条件式（２５）を満足するものを採用するのがよい。
０．７＜ｙ07／（ｆｗ・ｔａｎω07w）＜０．９６  …（２５）
ここで、ｙ07は電子撮像素子の有効撮像面内（撮像可能な面内）で中心から最も遠い点までの距離（最大像高）をｙ10としたときｙ07＝０．７・ｙ10として表され、ω07wは広角端における撮像面上の中心からｙ07の位置に結ぶ像点に対応する物点方向の光軸に対する角度である。なお、ｆｗは広角端における結像光学系の全系の焦点距離である。
【００９６】
上記条件式（２５）はズーム広角端における樽型歪曲の度合いを規定したものである。条件式（２５）を満足すれば、光学系を肥大化させずに、広い画角の情報を取り込むことが可能となる。なお、樽型に歪んだ像は撮像素子にて光電変換されて、樽型に歪んだ画像データとなる。
樽型に歪んだ画像データは、電子撮像装置の信号処理系である画像処理手段にて、電気的に、像の形状変化に相当する加工が施される。このようにすれば、最終的に画像処理手段から出力された画像データを表示装置にて再生したとしても、歪曲が補正されて被写体形状にほぼ相似した画像が得られる。
【００９７】
ここで、条件式（２５）の上限値を上回る場合であって、特に、１に近い値をとると、歪曲収差が光学的に良く補正された画像が得られる。そのため、画像処理手段で行う補正が小さくてすむ。しかしながら、光学系の小型化を維持しながら、光学系を広画角化することが困難となる。
【００９８】
一方、条件式（２５）の下限値を下回ると、光学系の歪曲収差による画像歪みを画像処理手段で補正した場合に画角周辺部の放射方向への引き伸ばし率が高くなりすぎる。その結果、撮像で得た画像において、画像周辺部の鮮鋭度の劣化が目立つようになってしまう。
【００９９】
このように、条件式（２５）を満足することにより、光学系の小型化と広角化（歪曲込みの垂直方向の画角を３８°以上にする）とが可能となる。
【０１００】
なお、条件式（２５）に代えて、次の条件式（２５’）を満足すると、より好ましい。
０．７＜ｙ07／（ｆｗ・ｔａｎω07w）＜０．９４    …（２５’）
さらに、条件式（２５）に代えて、次の条件式（２５”）を満足すると、より一層好ましい。
０．７５＜ｙ07／（ｆｗ・ｔａｎω07w）＜０．９２  …（２５”）
【０１０１】
次に、ズーム光学系を具体例として、本実施形態の結像光学系について述べる。  本実施形態野のズーム光学系は、物体側から順に、正の第１レンズ群Ｇ１、負の第２レンズ群Ｇ２、正の第３レンズ群Ｇ３、正の第４レンズ群Ｇ４、負のレンズ群Ｇ５という５つのレンズ群からなる。また、変倍時には負の第２レンズ群Ｇ２、正の第３レンズ群Ｇ３、正の第４レンズ群Ｇ４が相互の間隔を変えながら移動する構成である。また、開口絞りについては、像面からの距離が略一定の状態で負の第２レンズ群Ｇ２と正の第３レンズ群Ｇ３の間に位置している。あるいは、正の第３レンズ群Ｇ３と一体に移動することも可能である。
【０１０２】
正の第１レンズ群Ｇ１は物体側から順に、
・１つの負レンズ成分、プリズム、１つ又は２つの正レンズ成分
・入射面が凹面のプリズム、１つ又は２つの正レンズ成分
・１つの負レンズ成分、射出面が凸面のプリズム、１つの正レンズ成分
・１つの負レンズ成分、入射面が凹面のプリズム、２つの正レンズ成分
のいずれかの構成である。なお、上記の正レンズ成分の一部を正レンズと負レンズの接合レンズ成分とし、条件式（１０）乃至（１７）を満足することが好ましい。
【０１０３】
負の第２レンズ群Ｇ２は１つのレンズ成分を有する。このレンズ成分は、正レンズと負レンズの接合レンズで構成すればよい。そして、条件式（１８）乃至（２２）を満足することが好ましい。
【０１０４】
正の第３レンズ群Ｇ３は、最も物体側が正のレンズ成分で、最も像側が負のレンズ成分で構成されている。そして、正の第３レンズ群Ｇ３では、最も像側の面が凹面になっている。特に負のレンズ成分は、複数のレンズを接合して構成するとよい。その場合、最も物体側のレンズ要素は正レンズで、最も像側のレンズ要素を負レンズとするのが良い。また、負のレンズ成分は3枚のレンズ要素の接合とするのがよい。なお、正の第３レンズ群Ｇ３は、物体側から正のレンズ成分と負のレンズ成分の2つのレンズ成分のみでもかまわない。そして、負のレンズ成分のうちの中央のレンズ要素が条件式（８）乃至（９）を満足することが好ましい。なお、負のレンズ成分のうちの最も像側のレンズ要素が条件式（８）乃至（９）を満足してもよい。
【０１０５】
正の第４レンズ群Ｇ４は１つのレンズ成分を有する。この、正の第４レンズ群Ｇ４は、合焦のために移動できる。また、１つのレンズ成分は、単レンズで構成すればよい。
【０１０６】
正の第５レンズ群Ｇ５は１つのレンズ成分を有する。このレンズ成分は、正レンズと負レンズを接合して構成すればよい。特に、物体側から負レンズ、正レンズの順に接合すると良い。
【０１０７】
なお、上述したように、結像光学系で発生した歪曲収差を電子撮像装置の画像処理機能にて補正すれば、さらに他の収差を良好に補正できる。
【０１０８】
ここで、電子撮像装置には、上記の結像光学系、電子撮像素子、画像処理ユニットが搭載されているとする。そして、画像処理ユニットは、画像データを加工して、形状を変化させた画像データとして出力することが可能になっている。このような電子撮像装置を用いて、被写体の像を撮像する。撮像によって得られた画像データは、画像処理ユニットによって色分解され、色ごとの画像データになる。続いて、各々の画像データごとに、形状（被写体の像の大きさ）を変化させた後、これらの画像データを合成する。そのことにより、倍率色収差による画像周辺部の鮮鋭度劣化や、色にじみ発生を防ぐことが出来る。この方法は、特に色分解用モザイクフィルターを設けた電子撮像素子を有する電子撮像装置に対して有効である。なお、電子撮像装置が複数の（色ごとに）電子撮像素子を有する場合は、得られた画像データに対して色分解を行う必要はなくなる。
【０１０９】
本実施形態の結像光学系は、以上述べた条件式や構成上の特徴を、個々に、満足あるいは備えることにより、結像光学系の小型化・薄型化をともに達成することが可能となると共に、良好な収差補正が実現できる。また、本実施形態の結像光学系は、上記条件式や構成上の特徴を、組み合わせて備える（満足する）こともできる。この場合、結像光学系の一層の小型化・薄型化、あるいは、より良好な収差補正と光学系の広角化を達成できる。また、本実施形態の結像光学系を有する電子撮像装置は、このような結像光学系を備えることにより、撮像された画像において、画像の鮮鋭化、色にじみの防止が図れる。
【０１１０】
以下に、本発明に係る結像光学系（以下、適宜「ズームレンズ」という。）、撮像装置の実施例を図面に基づいて詳細に説明する。なお、この実施例によりこの発明が限定されるものではない。
【０１１１】
次に、本発明の実施例１にかかるズームレンズについて説明する。図１は本発明の実施例１にかかるズームレンズの無限遠物点合焦時の光学構成を示す光軸に沿う断面図であり、（ａ）は広角端、（ｂ）は中間焦点距離状態、（ｃ）は望遠端での断面図である。
【０１１２】
図２は実施例１にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。また、ＦＩＹは像高を示している。なお、収差図における記号は、後述の実施例においても共通である。
【０１１３】
実施例１のズームレンズは、図１に示すように、物体側から順に、正の屈折力の第１レンズ群Ｇ１と、負の屈折力の第２レンズ群Ｇ２と、開口絞りＳと、正の屈折力の第３レンズ群Ｇ３と、正の屈折力の第４レンズ群Ｇ４と、正の屈折力の第５レンズ群Ｇ５を配置している。
【０１１４】
第１レンズ群Ｇ１は、像側に凹面を向けた平凹レンズＬ１と、物体側面と像側面が共に平面のプリズムＬ２と、両凸正レンズＬ３と、両凸正レンズＬ４で構成されており、全体で正の屈折力を有している。
【０１１５】
第２レンズ群Ｇ２は、両凹負レンズＬ５と、両凹負レンズＬ６と物体側に凸面を向けた正メニスカスレンズＬ７の接合レンズで構成されており、全体で負の屈折力を有している。
【０１１６】
第３レンズ群Ｇ３は、両凸正レンズＬ８と、両凸正レンズＬ９と両凹負レンズＬ１０の接合レンズで構成されており、全体で正の屈折力を有している。
【０１１７】
第４レンズ群Ｇ４は、両凸正レンズＬ１１で正の屈折力を有している。
【０１１８】
第５レンズ群Ｇ５は、両凹負レンズＬ１２と両凸正レンズＬ１３の接合レンズで構成されており、全体で正の屈折力を有している。
【０１１９】
広角端から望遠端にかけての変倍時、第１レンズ群Ｇ１は固定であり、第２レンズ群Ｇ２は像側に移動し、第３レンズ群Ｇ３は中間位置までほぼ固定、中間位置からは物体側に移動し、第４レンズ群Ｇ４は中間位置までほぼ固定、中間位置からは像側に移動し、第５レンズ群Ｇ５は固定である。また、明るさ絞りＳの位置は固定である。また、光量は、開口サイズを変化させて調整する。
【０１２０】
非球面は、第１レンズ群Ｇ１の物体側の両凸正レンズＬ３の物体側の面と、第２レンズ群Ｇ２の物体側の両凹負レンズＬ５の像側の面と、第３レンズ群Ｇ３の物体側の両凸正レンズＬ８の両面と、第４レンズ群Ｇ４の両凸正レンズＬ１１の物体側の面と、第５レンズ群Ｇ５の両凹負レンズＬ１２の物体側の面の合計６面に設けられている。
【０１２１】
次に、本発明の実施例２にかかるズームレンズについて説明する。図３は本発明の実施例２にかかるズームレンズの無限遠物点合焦時の光学構成を示す光軸に沿う断面図であり、（ａ）は広角端、（ｂ）は中間焦点距離状態、（ｃ）は望遠端での断面図である。
【０１２２】
図４は実施例２にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１２３】
実施例２のズームレンズは、図３に示すように、物体側から順に、正の屈折力の第１レンズ群Ｇ１と、負の屈折力の第２レンズ群Ｇ２と、開口絞りＳと、正の屈折力の第３レンズ群Ｇ３と、正の屈折力の第４レンズ群Ｇ４と、正の屈折力の第５レンズ群Ｇ５を配置している。
【０１２４】
第１レンズ群Ｇ１は、物体側が凹面で像側が平面のプリズムＬ１と、両凸正レンズＬ２と、物体側に凸面を向けた正メニスカスレンズＬ３で構成されており、全体で正の屈折力を有している。
【０１２５】
第２レンズ群Ｇ２は両凹負レンズＬ４と、両凹負レンズＬ５と物体側に凸面を向けた正メニスカスレンズＬ６の接合レンズで構成されており、全体で負の屈折力を有している。
【０１２６】
第３レンズ群Ｇ３は、両凸正レンズＬ７と、両凸正レンズＬ８と両凹負レンズＬ９の接合レンズで構成されており、全体で正の屈折力を有している。
【０１２７】
第４レンズ群Ｇ４は、両凸正レンズＬ１０で正の屈折力を有している。
【０１２８】
第５レンズ群Ｇ５は、物体側に凸面を向けた負メニスカスレンズＬ１１と両凸正レンズＬ１２の接合レンズで構成されており、全体で正の屈折力を有している。
【０１２９】
広角端から望遠端にかけての変倍時、第１レンズ群Ｇ１は固定であり、第２レンズ群Ｇ２は像側に移動し、第３レンズ群Ｇ３は中間位置までほぼ固定、中間位置からは物体側に移動し、第４レンズ群Ｇ４は中間位置までほぼ固定、中間位置からは像側に移動し、第５レンズ群Ｇ５は固定である。また、明るさ絞りＳの位置は固定である。また、光量は、開口サイズを変化させて調整する。
【０１３０】
非球面は、第１レンズ群Ｇ１のプリズムＬ１の物体側の面と物体側に凸面を向けた正メニスカスレンズＬ３の物体側の面、第２レンズ群Ｇ２の物体側の両凹負レンズＬ４の像側の面と、第３レンズ群Ｇ３の物体側の両凸正レンズＬ７の両面と、第４レンズ群Ｇ４の両凸正レンズＬ１０の物体側の面の合計６面に設けられている。
【０１３１】
次に、本発明の実施例３にかかるズームレンズについて説明する。図５は本発明の実施例３にかかるズームレンズの無限遠物点合焦時の光学構成を示す光軸に沿う断面図であり、（ａ）は広角端、（ｂ）は中間焦点距離状態、（ｃ）は望遠端での断面図である。
【０１３２】
図６は実施例３にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１３３】
実施例３のズームレンズは、図５に示すように、物体側から順に、正の屈折力の第１レンズ群Ｇ１と、負の屈折力の第２レンズ群Ｇ２と、開口絞りＳと、正の屈折力の第３レンズ群Ｇ３と、正の屈折力の第４レンズ群Ｇ４と、負の屈折力の第５レンズ群Ｇ５を配置している。
【０１３４】
第１レンズ群Ｇ１は、物体側に凸面を向けた負メニスカスレンズＬ１と、物体側が平面で像側が凸面のプリズムＬ２と、両凸正レンズＬ３で構成されており、全体で正の屈折力を有している。
【０１３５】
第２レンズ群Ｇ２は、物体側に凸面を向けた負メニスカスレンズＬ４と、両凹負レンズＬ５と両凸正レンズＬ６の接合レンズで構成されており、全体で負の屈折力を有している。
【０１３６】
第３レンズ群Ｇ３は、両凸正レンズＬ７と、両凸正レンズＬ８と両凹負レンズＬ９の接合レンズで構成されており、全体で正の屈折力を有している。
【０１３７】
第４レンズ群Ｇ４は、物体側に凸面を向けた正メニスカスレンズＬ１０で正の屈折力を有している。
【０１３８】
第５レンズ群Ｇ５は、両凹負レンズＬ１１と両凸正レンズＬ１２の接合レンズで構成されており、全体で負の屈折力を有している。
【０１３９】
広角端から望遠端にかけての変倍時、第１レンズ群Ｇ１は固定であり、第２レンズ群Ｇ２は像側に移動し、第３レンズ群Ｇ３は物体側に移動し、第４レンズ群Ｇ４は中間位置まで固定、中間位置からは像側に移動し、第５レンズ群Ｇ５は固定である。また、明るさ絞りＳの位置は固定である。また、光量は、開口サイズを変化させて調整する。
【０１４０】
非球面は、第１レンズ群Ｇ１の両凸正レンズＬ３の物体側の面と、第２レンズ群Ｇ２の物体側に凸面を向けた負メニスカスレンズＬ４の像側の面と、第３レンズ群Ｇ３の物体側の両凸正レンズＬ７の両面と、第４レンズ群Ｇ４の物体側に凸面を向けた正メニスカスレンズＬ１０の物体側の面と、第５レンズ群Ｇ５の両凹負レンズＬ１１の物体側の面の合計６面に設けられている。
【０１４１】
次に、本発明の実施例４にかかるズームレンズについて説明する。図７は本発明の実施例４にかかるズームレンズの無限遠物点合焦時の光学構成を示す光軸に沿う断面図であり、（ａ）は広角端、（ｂ）は中間焦点距離状態、（ｃ）は望遠端での断面図である。
【０１４２】
図８は実施例４にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１４３】
実施例４のズームレンズは、図７に示すように、物体側から順に、正の屈折力の第１レンズ群Ｇ１と、負の屈折力の第２レンズ群Ｇ２と、開口絞りＳと、正の屈折力の第３レンズ群Ｇ３と、正の屈折力の第４レンズ群Ｇ４と、負の屈折力の第５レンズ群Ｇ５を配置している。
【０１４４】
第１レンズ群Ｇ１は、物体側に凸面を向けた負メニスカスレンズＬ１と、物体側面と像側面が共に平面のプリズムＬ２と、両凸正レンズＬ３と像側に凸面を向けた負メニスカスレンズＬ４の接合レンズで構成されており、全体で正の屈折力を有している。
【０１４５】
第２レンズ群Ｇ２は、物体側に凸面を向けた負メニスカスレンズＬ５と、両凹負レンズＬ６と両凸正レンズＬ７の接合レンズで構成されており、全体で負の屈折力を有している。
【０１４６】
第３レンズ群Ｇ３は、両凸正レンズＬ８と、両凸正レンズＬ９と両凹負レンズＬ１０の接合レンズで構成されており、全体で正の屈折力を有している。
【０１４７】
第４レンズ群Ｇ４は、物体側に凸面を向けた正メニスカスレンズＬ１１で正の屈折力を有している。
【０１４８】
第５レンズ群Ｇ５は、両凹負レンズＬ１２と両凸正レンズＬ１３の接合レンズで構成されており、全体で負の屈折力を有している。
【０１４９】
広角端から望遠端にかけての変倍時、第１レンズ群Ｇ１は固定であり、第２レンズ群Ｇ２は像側に移動し、第３レンズ群Ｇ３は物体側に移動し、第４レンズ群Ｇ４は中間位置までほぼ固定、中間位置からは像側に移動し、第５レンズ群Ｇ５は固定である。また、明るさ絞りＳの位置は固定である。また、光量は、開口サイズを変化させて調整する。
【０１５０】
非球面は、第１レンズ群Ｇ１の両凸正レンズＬ３の両面と像側に凸面を向けた負メニスカスレンズＬ４の像側の面と、第２レンズ群Ｇ２の物体側に凸面を向けた負メニスカスレンズＬ５の像側の面と、第３レンズ群Ｇ３の物体側の両凸正レンズＬ８の両面と、第４レンズ群Ｇ４の物体側に凸面を向けた正メニスカスレンズＬ１１の物体側の面と、第５レンズ群Ｇ５の両凹負レンズＬ１２の物体側の面の合計８面に設けられている。
【０１５１】
次に、本発明の実施例５にかかるズームレンズについて説明する。図９は本発明の実施例５にかかるズームレンズの無限遠物点合焦時の光学構成を示す光軸に沿う断面図であり、（ａ）は広角端、（ｂ）は中間焦点距離状態、（ｃ）は望遠端での断面図である。
【０１５２】
図１０は実施例５にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１５３】
実施例５のズームレンズは、図９に示すように、物体側から順に、正の屈折力の第１レンズ群Ｇ１と、負の屈折力の第２レンズ群Ｇ２と、開口絞りＳと、正の屈折力の第３レンズ群Ｇ３と、正の屈折力の第４レンズ群Ｇ４と、正の屈折力の第５レンズ群Ｇ５を配置している。
【０１５４】
第１レンズ群Ｇ１は、物体側に凸面を向けた負メニスカスレンズＬ１と、物体側が凹面で像側が平面のプリズムＬ２と、物体側の両凸正レンズＬ３と、両凸正レンズＬ４と両凹負レンズＬ５の接合レンズで構成されており、全体で正の屈折力を有している。
【０１５５】
第２レンズ群Ｇ２は、物体側の両凹負レンズＬ６と、両凹負レンズＬ７と物体側に凸面を向けた正メニスカスレンズＬ８の接合レンズで構成されており、全体で負の屈折力を有している。
【０１５６】
第３レンズ群Ｇ３は、物体側の両凸正レンズＬ９と、両凸正レンズＬ１０と両凹負レンズＬ１１の接合レンズで構成されており、全体で正の屈折力を有している。
【０１５７】
第４レンズ群Ｇ４は、物体側に凸面を向けた正メニスカスレンズＬ１２で正の屈折力を有している。
【０１５８】
第５レンズ群Ｇ５は、物体側に凸面を向けた負メニスカスレンズＬ１３と両凸正レンズＬ１４の接合レンズで構成されており、全体で正の屈折力を有している。
【０１５９】
広角端から望遠端にかけての変倍時、第１レンズ群Ｇ１は固定であり、第２レンズ群Ｇ２は像側に移動し、第３レンズ群Ｇ３は中間位置までほぼ固定、中間位置からは物体側に移動し、第４レンズ群Ｇ４は中間位置までほぼ固定、中間位置からは像側に移動し、第５レンズ群Ｇ５は固定である。また、明るさ絞りＳの位置は固定である。また、光量は、開口サイズを変化させて調整する。
【０１６０】
非球面は、第１レンズ群Ｇ１の物体側に凸面を向けた負メニスカスレンズＬ１の像側の面と像側の両凸正レンズＬ４の両面と両凹負レンズＬ５の像側の面、第２レンズ群Ｇ２の物体側の両凹負レンズＬ６の像側の面と、第３レンズ群Ｇ３の物体側の両凸正レンズＬ９の両面と、第４レンズ群Ｇ４の物体側に凸面を向けた正メニスカスレンズＬ１２の物体側の面と、第５レンズ群Ｇ５の両凸正レンズＬ１４の像側の面の合計９面に設けられている。
【０１６１】
次に、本発明の実施例６にかかるズームレンズについて説明する。図１１は本発明の実施例６にかかるズームレンズの無限遠物点合焦時の光学構成を示す光軸に沿う断面図であり、（ａ）は広角端、（ｂ）は中間焦点距離状態、（ｃ）は望遠端での断面図である。
【０１６２】
図１２は実施例６にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１６３】
実施例６のズームレンズは、図１１に示すように、物体側から順に、正の屈折力の第１レンズ群Ｇ１と、負の屈折力の第２レンズ群Ｇ２と、開口絞りＳと、正の屈折力の第３レンズ群Ｇ３と、正の屈折力の第４レンズ群Ｇ４と、正の屈折力の第５レンズ群Ｇ５を配置している。
【０１６４】
第１レンズ群Ｇ１は、両凹負レンズＬ１と、物体側面と像側面が共に平面のプリズムＬ２と、物体側の両凸正レンズＬ３と、両凸正レンズＬ４と像側に凸面を向けた負メニスカスレンズＬ５の接合レンズで構成されており、全体で正の屈折力を有している。
【０１６５】
第２レンズ群Ｇ２は、物体側の両凹負レンズＬ６と、両凹負レンズＬ７と物体側に凸面を向けた正メニスカスレンズＬ８の接合レンズで構成されており、全体で負の屈折力を有している。
【０１６６】
第３レンズ群Ｇ３は、物体側の両凸正レンズＬ９と、両凸正レンズＬ１０と像側に凸面を向けた負メニスカスレンズＬ１１と両凹負レンズＬ１２の接合レンズで構成されており、全体で正の屈折力を有している。
【０１６７】
第４レンズ群Ｇ４は、両凸正レンズＬ１３で正の屈折力を有している。
【０１６８】
第５レンズ群Ｇ５は、像側に凸面を向けた負メニスカスレンズＬ１４と、両凸正レンズＬ１５とで構成されており、全体で正の屈折力を有している。
【０１６９】
広角端から望遠端にかけての変倍時、第１レンズ群Ｇ１は固定し、第２レンズ群Ｇ２は像側に移動し、第３レンズ群Ｇ３は中間位置までほぼ固定、中間位置からは物体側に移動し、第４レンズ群Ｇ４は中間位置までほぼ固定、中間位置からは像側に移動し、第５レンズ群Ｇ５は固定である。また、明るさ絞りＳの位置は固定である。また、光量は、開口サイズを変化させて調整する。
【０１７０】
非球面は、第１レンズ群Ｇ１の像側の両凸正レンズＬ４の両面と像側に凸面を向けた負メニスカスレンズＬ５の像側の面、第２レンズ群Ｇ２の物体側の両凹負レンズＬ６の像側の面と、第３レンズ群Ｇ３の物体側の両凸正レンズＬ９の両面と、第４レンズ群Ｇ４の両凸正レンズＬ１３の物体側の面と、第５レンズ群Ｇ５の両凸正レンズＬ１５の像側の面の合計８面に設けられている。
【０１７１】
次に、本発明の実施例７にかかるズームレンズについて説明する。図１３は本発明の実施例７にかかるズームレンズの無限遠物点合焦時の光学構成を示す光軸に沿う断面図であり、（ａ）は広角端、（ｂ）は中間焦点距離状態、（ｃ）は望遠端での断面図である。
【０１７２】
図１４は実施例７にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１７３】
実施例７のズームレンズは、図１３に示すように、物体側から順に、正の屈折力の第１レンズ群Ｇ１と、負の屈折力の第２レンズ群Ｇ２と、開口絞りＳと、正の屈折力の第３レンズ群Ｇ３と、正の屈折力の第４レンズ群Ｇ４と、正の屈折力の第５レンズ群Ｇ５を配置している。
【０１７４】
第１レンズ群Ｇ１は、物体側に凸面を向けた負メニスカスレンズＬ１と、物体側面と像側面が共に平面のプリズムＬ２と、物体側の両凸正レンズＬ３と、両凸正レンズＬ４で構成されており、全体で正の屈折力を有している。
【０１７５】
第２レンズ群Ｇ２は物体側の両凹負レンズＬ５と、両凹負レンズＬ６と物体側に凸面を向けた正メニスカスレンズＬ７の接合レンズで構成されており、全体で負の屈折力を有している。
【０１７６】
第３レンズ群Ｇ３は、物体側の両凸正レンズＬ８と、両凸正レンズＬ９と両凹負レンズＬ１０の接合レンズで構成されており、全体で正の屈折力を有している。
【０１７７】
第４レンズ群Ｇ４は、物体側に凸面を向けた正メニスカスレンズＬ１１で正の屈折力を有している。
【０１７８】
第５レンズ群Ｇ５は、両凹負レンズＬ１２と両凸正レンズＬ１３の接合レンズで構成されており、全体で正の屈折力を有している。
【０１７９】
広角端から望遠端にかけての変倍時、第１レンズ群Ｇ１は固定し、第２レンズ群Ｇ２は像側に移動し、第３レンズ群Ｇ３は中間位置までほぼ固定、中間位置からは物体側に移動し、第４レンズ群Ｇ４は中間位置までほぼ固定、中間位置からは像側に移動し、第５レンズ群Ｇ５は固定である。また、明るさ絞りＳの位置は固定である。また、光量は、開口サイズを変化させて光量を調整する。
【０１８０】
非球面は、第１レンズ群Ｇ１の物体側の両凸正レンズＬ３の物体側の面と、第２レンズ群Ｇ２の像側の両凹負レンズＬ６の両面と物体側に凸面を向けた正メニスカスレンズＬ７の像側の面と、第３レンズ群Ｇ３の物体側の両凸正レンズＬ８の両面と、第４レンズ群Ｇ４の物体側に凸面を向けた正メニスカスレンズＬ１１の物体側の面の合計７面に設けられている。
【０１８１】
次に、本発明の実施例８にかかるズームレンズについて説明する。図１５は本発明の実施例８にかかるズームレンズの無限遠物点合焦時の光学構成を示す光軸に沿う断面図であり、（ａ）は広角端、（ｂ）は中間焦点距離状態、（ｃ）は望遠端での断面図である。
【０１８２】
図１６は実施例８にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１８３】
実施例８のズームレンズは、図１５に示すように、物体側から順に、正の屈折力の第１レンズ群Ｇ１と、負の屈折力の第２レンズ群Ｇ２と、開口絞りＳと、正の屈折力の第３レンズ群Ｇ３と、正の屈折力の第４レンズ群Ｇ４と、負の屈折力の第５レンズ群Ｇ５を配置している。
【０１８４】
第１レンズ群Ｇ１は、物体側に凸面を向けた負メニスカスレンズＬ１と、物体側面と像側面が共に平面のプリズムＬ２と、物体側の両凸正レンズＬ３と、両凸正レンズＬ４で構成されており、全体で正の屈折力を有している。
【０１８５】
第２レンズ群Ｇ２は、物体側の両凹負レンズＬ５と、像側に凸面を向けた正メニスカスレンズＬ６と両凹負レンズＬ７の接合レンズで構成されており、全体で負の屈折力を有している。
【０１８６】
第３レンズ群Ｇ３は、物体側の両凸正レンズＬ８と、両凸正レンズＬ９と両凹負レンズＬ１０の接合レンズで構成されており、全体で正の屈折力を有している。
【０１８７】
第４レンズ群Ｇ４は、物体側に凸面を向けた正メニスカスレンズＬ１１で正の屈折力を有している。
【０１８８】
第５レンズ群Ｇ５は、両凹負レンズＬ１２と両凸正レンズＬ１３の接合レンズで構成されており、全体で負の屈折力を有している。
【０１８９】
広角端から望遠端にかけての変倍時、第１レンズ群Ｇ１は固定し、第２レンズ群Ｇ２は像側に移動し、第３レンズ群Ｇ３は中間位置までほぼ固定、中間位置からは物体側に移動し、第４レンズ群Ｇ４は中間位置までほぼ固定、中間位置からは像側に移動し、第５レンズ群Ｇ５は固定である。また、明るさ絞りＳの位置は固定である。また、光量は、開口サイズを変化させて調整する。
【０１９０】
非球面は、第１レンズ群Ｇ１の物体側の両凸正レンズＬ３の物体側の面と、第２レンズ群Ｇ２の像側に凸面を向けた負メニスカスレンズＬ６の両面と、第３レンズ群Ｇ３の物体側の両凸正レンズＬ８の両面と、第４レンズ群Ｇ４の物体側に凸面を向けた正メニスカスレンズＬ１１の物体側の面の合計６面に設けられている。
【０１９１】
次に、本発明の実施例９にかかるズームレンズについて説明する。図１７は本発明の実施例９にかかるズームレンズの無限遠物点合焦時の光学構成を示す光軸に沿う断面図であり、（ａ）は広角端、（ｂ）は中間焦点距離状態、（ｃ）は望遠端での断面図である。
【０１９２】
図１８は実施例９にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１９３】
実施例９のズームレンズは、図１７に示すように、物体側から順に、正の屈折力の第１レンズ群Ｇ１と、負の屈折力の第２レンズ群Ｇ２と、開口絞りＳと、正の屈折力の第３レンズ群Ｇ３と、正の屈折力の第４レンズ群Ｇ４と、正の屈折力の第５レンズ群Ｇ５を配置している。
【０１９４】
第１レンズ群Ｇ１は、物体側に凸面を向けた負メニスカスレンズＬ１と、物体側面と像側面が共に平面のプリズムＬ２と、物体側の両凸正レンズＬ３と、物体側に凸面を向けた負メニスカスレンズＬ４と両凸正レンズＬ５の接合レンズで構成されており、全体で正の屈折力を有している。
【０１９５】
第２レンズ群Ｇ２は、物体側の両凹負レンズＬ６と、両凹負レンズＬ７と物体側に凸面を向けた正メニスカスレンズＬ８の接合レンズで構成されており、全体で負の屈折力を有している。
【０１９６】
第３レンズ群Ｇ３は、物体側の両凸正レンズＬ９と、両凸正レンズＬ１０と像側に凸面を向けた負メニスカスレンズＬ１１と両凹負レンズＬ１２の接合レンズで構成されており、全体で正の屈折力を有している。
【０１９７】
第４レンズ群Ｇ４は、物体側に凸面を向けた正メニスカスレンズＬ１３で正の屈折力を有している。
【０１９８】
第５レンズ群Ｇ５は、物体側に凸面を向けた負メニスカスレンズＬ１４と両凸正レンズＬ１５の接合レンズで構成されており、全体で正の屈折力を有している。
【０１９９】
広角端から望遠端にかけての変倍時、第１レンズ群Ｇ１は固定し、第２レンズ群Ｇ２は像側に移動し、第３レンズ群Ｇ３は中間位置までほぼ固定、中間位置からは物体側に移動し、第４レンズ群Ｇ４は中間位置までほぼ固定、中間位置からは像側に移動し、第５レンズ群Ｇ５は固定である。また、明るさ絞りＳの位置は固定である。また、光量は、開口サイズを変化させて調整する。
【０２００】
非球面は、第１レンズ群Ｇ１の物体側に凸面を向けた負メニスカスレンズＬ４の物体側の面と、第２レンズ群Ｇ２の両凹負レンズＬ６の像側の面と、第３レンズ群Ｇ３の物体側の両凸正レンズＬ９の両面と、第４レンズ群Ｇ４の物体側に凸面を向けた正メニスカスレンズＬ１３の物体側の面の合計５面に設けられている。
【０２０１】
次に、上記各実施例のズームレンズを構成する光学部材の数値データを掲げる。なお、各実施例の数値データにおいて、ｒは各レンズ面の曲率半径、ｄは各レンズの肉厚または空気間隔、ｎｄ…は各レンズのｄ線での屈折率、νｄは各レンズのアッべ数、Ｆｎｏ．はＦナンバー、ｆは全系焦点距離、Ｄ０は物体から第１面までの距離をそれぞれ表している。また、＊は非球面を示している。
【０２０２】
また、非球面形状は、光軸方向をｚ、光軸に直交する方向をｙにとり、円錐係数をＫ、非球面係数をＡ４、Ａ６、Ａ８、Ａ１０としたとき、次の式で表される。
ｚ＝（ｙ2／ｒ）／［１＋｛１−（１＋Ｋ）（ｙ／ｒ）2｝1/2］
＋Ａ４ｙ4＋Ａ６ｙ6＋Ａ８ｙ8＋Ａ１０ｙ10
また、Ｅは１０のべき乗を表している。なお、これら諸元値の記号は後述の実施例の数値データにおいても共通である。
【０２０３】
数値実施例１
単位  ｍｍ
面データ
面番号       ｒ           ｄ          ｎｄ         νｄ
物面         ∞          ∞
1         ∞         1.0000       2.14352      17.77
2       17.7707      1.7000
3         ∞         9.8000       2.14352      17.77
4         ∞         0.2000
5*      36.7977      1.8000       1.74320      49.34
6      -26.1139      0.1500
7       18.0524      1.8000       1.80610      40.92
8     -225.8693      可変
9      -26.0381      0.5000       1.83481      42.71
10*      12.3297      1.1000
11      -15.8199      0.5000       1.80610      40.92
12        9.1954      1.5000       1.94595      17.98
13      175.4980      可変
14(STO)    ∞         可変
15*       6.2983      2.5000       1.83481      42.71
16*     -20.9769      0.1500
17       11.8057      1.6000       1.69680      55.53
18      -25.4996      0.5000       2.00069      25.46
19        4.4488      可変
20*      13.7404      1.6000       1.52540      56.25
21     -285.2486      可変
22*     -36.6327      0.6000       2.14352      17.77
23       42.8739      2.0000       1.51633      64.14
24       -9.1931      0.6000
25         ∞         0.8000       1.51633      64.14
26         ∞         0.9996
像面        ∞
【０２０４】
非球面データ
第５面
K=-0.3283,
A2=0.0000E+00,A4=-4.4000E-06,A6=6.0678E-08,A8=-8.9615E-10,A10=0.0000E+00
第１０面
K=-0.8898,
A2=0.0000E+00,A4=-9.6527E-06,A6=5.4330E-06,A8=-8.3037E-08,A10=0.0000E+00
第１５面
K=-0.5934,
A2=0.0000E+00,A4=-5.4855E-05,A6=4.0626E-06,A8=3.1128E-07,A10=0.0000E+00
第１６面
K=-0.7623,
A2=0.0000E+00,A4=4.8992E-04,A6=-2.6005E-06,A8=4.3095E-07,A10=0.0000E+00
第２０面
K=-0.7181,
A2=0.0000E+00,A4=2.4448E-04,A6=-9.1778E-06,A8=-3.2810E-07,A10=0.0000E+00
第２２面
K=3.5846,
A2=0.0000E+00,A4=-3.4288E-04,A6=1.1625E-05,A8=1.7829E-07,A10=0.0000E+00
【０２０５】
各種データ
ズーム比       4.95
広角         中間           望遠
焦点距離       6.04963      13.53497       29.95969
Ｆナンバー     3.5859        3.8812         5.9000
画角          38.6°        15.7°          7.2°
像高           3.84          3.84           3.84
レンズ全長    57.0027       57.0030        57.0028
ＢＦ           0.99957       0.99957        0.99957
d8             0.60022       5.80542        8.07375
d13            8.86820       3.66202        1.39477
d14            6.80942       5.86043        1.19818
d19            4.27905       4.49257       12.93804
d21            5.04621       5.78484        1.99849
【０２０６】
ズームレンズ群データ
群   始面    焦点距離
1     1      13.26001
2     9      -6.82368
3     15     12.08776
4     20     24.99641
5     22     70.97744
【０２０７】
〔硝材屈折率テーブル〕・・・ 本実施例にて使用した媒質の波長別屈折率一覧
GLA                 587.56   656.27   486.13   435.84   404.66
L7                  1.945950 1.931230 1.983830 2.018254 2.051063
L1,L2,L12           2.143520 2.125601 2.189954 2.232324 2.273190
L13,L14             1.516330 1.513855 1.521905 1.526213 1.529768
L4,L6               1.806098 1.800248 1.819945 1.831173 1.840781
L5,L8               1.834807 1.828975 1.848520 1.859547 1.868911
L9                  1.696797 1.692974 1.705522 1.712339 1.718005
L3                  1.743198 1.738653 1.753716 1.762046 1.769040
L10                 2.000690 1.989410 2.028720 2.052834 2.074603
L11                 1.525400 1.522460 1.531800 1.537220 1.543549
【０２０８】
数値実施例２ 
単位  ｍｍ
面データ
面番号       ｒ           ｄ          ｎｄ         νｄ
物面       ∞           ∞
1*     -22.3238      9.8000       2.14352      17.77
2         ∞         0.2000
3       34.3707      1.8000       1.74320      49.34
4      -27.6600      0.1500
5*      16.2455      1.8000       1.80610      40.92
6      443.7227      可変
7      -36.4769      0.5000       1.83481      42.71
8*       8.8033      1.1000
9      -13.3508      0.5000       1.74320      49.34
10        9.6375      1.5000       1.94595      17.98
11      218.5437      可変
12(STO)    ∞         可変
13*       5.4139      2.5000       1.83481      42.71
14*     -13.4440      0.1500
15       13.3578      1.6000       1.69680      55.53
16       -9.4078      0.5000       2.00069      25.46
17        3.7083      可変
18*      20.2513      1.6000       1.52540      56.25
19      -35.3212      可変
20       55.8049      0.6000       2.00069      25.46
21       14.7895      2.0000       1.51633      64.14
22      -10.2755      0.6000
23         ∞         0.8000       1.51633      64.14
24         ∞         0.5012
像面         ∞
【０２０９】
非球面データ
第１面
K=-0.0410,
A2=0.0000E+00,A4=9.1093E-05,A6=-8.5914E-07,A8=4.4127E-09,A10=0.0000E+00
第５面
K=-0.0773,
A2=0.0000E+00,A4=-9.7118E-05,A6=2.4199E-07,A8=-4.5197E-09,A10=0.0000E+00
第８面
K=-0.8913,
A2=0.0000E+00,A4=-2.9868E-04,A6=4.4157E-05,A8=-1.4936E-06,A10=0.0000E+00
第１３面
K=-0.5894,
A2=0.0000E+00,A4=-1.9802E-04,A6=1.2496E-05,A8=-1.4038E-06,A10=0.0000E+00
第１４面
K=-0.7744,
A2=0.0000E+00,A4=8.1519E-04,A6=-1.5789E-05,A8=-8.8242E-07,A10=0.0000E+00
第１８面
K=-1.0392,
A2=0.0000E+00,A4=-1.5744E-04,A6=2.3284E-05,A8=-9.2861E-07,A10=0.0000E+00
【０２１０】
各種データ
ズーム比       4.95
広角         中間           望遠
焦点距離       6.05208      13.55155       29.94187
Ｆナンバー     3.6157        3.7189         5.9893
画角          37.7°        14.7°          7.2°
像高           3.84          3.84           3.84
レンズ全長    50.1047       50.1695        50.1028
ＢＦ           0.50125       0.50125        0.50125
d6             0.75667       5.82465        7.54587
d11            8.07180       3.11695        1.28440
d12            6.03497       5.73281        1.16377
d17            2.84910       2.63714       10.40600
d19            4.19091       4.62924        1.50508
【０２１１】
ズームレンズ群データ
群   始面    焦点距離
1     1      14.17526
2     7      -6.16416
3    13      10.22310
4    18      24.74377
5    20      27.54317
【０２１２】
〔硝材屈折率テーブル〕・・・ 本実施例にて使用した媒質の波長別屈折率一覧
GLA                 587.56   656.27   486.13   435.84   404.66
L6                  1.945950 1.931230 1.983830 2.018254 2.051063
L1                  2.143520 2.125601 2.189954 2.232324 2.273190
L12,L13             1.516330 1.513855 1.521905 1.526213 1.529768
L3                  1.806098 1.800248 1.819945 1.831173 1.840781
L4,L7               1.834807 1.828975 1.848520 1.859547 1.868911
L8                  1.696797 1.692974 1.705522 1.712339 1.718005
L2,L5               1.743198 1.738653 1.753716 1.762046 1.769040
L9,L11              2.000690 1.989410 2.028720 2.052834 2.074603
L10                 1.525400 1.522460 1.531800 1.537220 1.543549
【０２１３】
数値実施例３
単位  ｍｍ
面データ                                
面番号       ｒ           ｄ          ｎｄ         νｄ
物面       ∞          ∞
1       26.4822      1.0000       1.94595      17.98
2       10.7172      3.3000 
3         ∞        11.5000       1.77250      49.60
4      -41.1907      0.2000 
5*      21.9544      2.8000       1.74320      49.34
6      -33.1000      可変 
7       65.5477      0.5000       1.83481      42.71
8*      11.1363      1.5000 
9      -13.5808      0.5000       1.80610      40.92
10       14.9640      1.7000       1.94595      17.98
11     -189.2732      可変
12(STO)    ∞         可変
13*       7.7357      2.5000       1.83481      42.71
14*     -31.0488      0.1500
15       11.3642      1.3625       1.69680      55.53
16     -469.2304      0.5000       2.00069      25.46
17        5.9089      可変
18*      11.3770      1.6000       1.52540      56.25
19       35.1726      可変
20*     -16.1163      0.6000       2.14352      17.77
21       62.3403      2.0000       1.51633      64.14
22       -8.4687      1.0000
23         ∞         0.8675       1.51633      64.14
24         ∞         1.2996
像画        ∞
【０２１４】
非球面データ
第５面
K=0.0593,
A2=0.0000E+00,A4=8.2003E-06,A6=1.6810E-08,A8=-3.7560E-10,A10=0.0000E+00
第８面
K=-0.9593,
A2=0.0000E+00,A4=1.8122E-04,A6=-5.2384E-06,A8=5.9665E-07,A10=0.0000E+00
第１３面
K=-0.6152,
A2=0.0000E+00,A4=5.6835E-05,A6=-5.1648E-06,A8=3.7552E-07,A10=0.0000E+00
第１４面
K=-0.1858,
A2=0.0000E+00,A4=3.0748E-04,A6=-7.5365E-06,A8=4.0155E-07,A10=0.0000E+00
第１８面
K=0.0181,
A2=0.0000E+00,A4=-9.9657E-05,A6=4.9173E-06,A8=-1.8905E-06,A10=0.0000E+00
第２０面
K=0.2476,
A2=0.0000E+00,A4=-2.7484E-04,A6=2.0109E-05,A8=5.3740E-07,A10=0.0000E+00
【０２１５】
各種データ
ズーム比       4.95
広角         中間           望遠
焦点距離       6.05491      13.53410       29.95934
Ｆナンバー     3.0554        4.2313         5.9000
画角          36.6°        16.0°          7.2
像高           3.84          3.84           3.84
レンズ全長    64.0008       63.9913        64.0009 
ＢＦ           1.29963       1.29963        1.29963
d6             0.59584       5.29416        9.23500
d11           10.03824       5.33157        1.39909
d12            9.95642       5.35436        1.19839
d17            3.15969       7.87787       15.28821
d19            5.37101       5.25294        2.00070
【０２１６】
ズームレンズ群データ
群   始面     焦点距離
1     1      16.81972
2     7      -9.09120
3    13      13.73697
4    18      31.28252
5    20     -79.97634
【０２１７】
〔硝材屈折率テーブル〕・・・ 本実施例にて使用した媒質の波長別屈折率一覧
GLA                 587.56   656.27   486.13   435.84   404.66
L1,L6               1.945950 1.931230 1.983830 2.018254 2.051063
L11                 2.143520 2.125601 2.189954 2.232324 2.273190
L12,13              1.516330 1.513855 1.521905 1.526213 1.529768
L5                  1.806098 1.800248 1.819945 1.831173 1.840781
L4,L7               1.834807 1.828975 1.848520 1.859547 1.868911
L2                  1.772499 1.767798 1.783374 1.791971 1.799174
L8                  1.696797 1.692974 1.705522 1.712339 1.718005
L3                  1.743198 1.738653 1.753716 1.762046 1.769040
L9                  2.000690 1.989410 2.028720 2.052834 2.074603
L10                 1.525400 1.522460 1.531800 1.537220 1.543549
【０２１８】
数値実施例４
単位  ｍｍ
面データ
面番号       ｒ           ｄ          ｎｄ         νｄ
物面         ∞          ∞
1       33.4710      1.0000       2.14352      17.77
2       12.9962      2.8000
3         ∞        10.8000       1.80610      40.92
4         ∞         0.2000
5*      19.2835      2.8000       1.88300      40.76
6*     -16.8921      0.1000       1.63494      23.22
7*     -35.4351      可変
8       75.9305      0.5000       1.83481      42.71
9*      10.5861      1.5000
10      -13.7278      0.5000       1.80610      40.92
11       13.0118      1.4000       1.94595      17.98
12     -115.5205      可変
13(STO)    ∞         可変
14*       7.9132      2.5000       1.83481      42.71
15*     -30.7581      0.1500
16        9.7936      1.6000       1.69680      55.53
17     -102.6373      0.5000       2.00069      25.46
18        5.4145      可変
19*      10.1411      1.6000       1.52540      56.25
20       59.8729      可変
21*     -14.7089      0.6000       2.14352      17.77
22       33.2642      2.2000       1.48749      70.23
23       -7.5004      0.6000
24         ∞         0.8000       1.51633      64.14
25         ∞         0.8000
像面        ∞
【０２１９】
非球面データ
第５面
K=0.0655,
A2=0.0000E+00,A4=-1.8786E-05,A6=-5.1022E-08,A8=-2.0153E-08,A10=0.0000E+00  
第６面
K=-0.0017,
A2=0.0000E+00,A4=-3.1676E-05,A6=-9.6311E-07,A8=2.1464E-08,A10=0.0000E+00 
第７面
K=-0.0518,
A2=0.0000E+00,A4=4.6312E-05,A6=3.3508E-08,A8=-3.3276E-08,A10=0.0000E+00
第９面
K=-0.9593,
A2=0.0000E+00,A4=1.3237E-04,A6=4.4415E-06,A8=2.0304E-07,A10=0.0000E+00
第１４面
K=-0.6103,
A2=0.0000E+00,A4=-9.4698E-05,A6=5.3709E-06,A8=2.2063E-08,A10=0.0000E+00
第１５面
K=-0.2133,
A2=0.0000E+00,A4=7.8028E-05,A6=8.2038E-06,A8=-7.1469E-08,A10=0.0000E+00
第１９面
K=0.0476,
A2=0.0000E+00,A4=-2.6880E-04,A6=1.9804E-05,A8=-7.9341E-07,A10=0.0000E+00
第２１面
K=0.2918,
A2=0.0000E+00,A4=2.5142E-04,A6=-3.6396E-05,A8=1.2752E-06,A10=0.0000E+00
【０２２０】
各種データ
ズーム比       4.95
広角         中間           望遠
焦点距離       6.05039      13.53414       29.95972
Ｆナンバー     3.0564        4.1881         5.9000
画角          36.4°        16.0°          7.2°
像高           3.84          3.84           3.84
レンズ全長    61.0003       61.0024        61.0002
ＢＦ           0.79999       0.79999        0.79999
d7            0.59926       5.32689        9.12350
d12           9.92449       5.19984        1.40021
d13           9.36940       5.00235        1.19989
d18           2.93279       7.34767       14.82686
d20           5.22433       5.17489        1.49978
【０２２１】
ズームレンズ群データ
群   始面     焦点距離
1     1      16.42092
2     8      -9.09682
3    14      13.68623
4    19      22.98277
5    21     -45.30237
【０２２２】
〔硝材屈折率テーブル〕・・・ 本実施例にて使用した媒質の波長別屈折率一覧
GLA                 587.56   656.27   486.13   435.84   404.66
L4                  1.634937 1.627308 1.654649 1.672358 1.688770
L7                  1.945950 1.931230 1.983830 2.018254 2.051060
L1,L12              2.143520 2.125601 2.189954 2.232324 2.273184
L14                 1.516330 1.513855 1.521905 1.526213 1.529768
L13                 1.487490 1.485344 1.492285 1.495963 1.498983
L2,L6               1.806098 1.800248 1.819945 1.831173 1.840781
L5,L8               1.834807 1.828975 1.848520 1.859547 1.868911
L3                  1.882997 1.876560 1.898221 1.910495 1.920919
L9                  1.696797 1.692974 1.705522 1.712339 1.718005
L10                 2.000690 1.989410 2.028720 2.052834 2.074600
L11                 1.525400 1.522460 1.531800 1.537220 1.543548
【０２２３】
数値実施例５
単位  ｍｍ
面データ 
面番号       ｒ           ｄ         ｎｄ         νｄ
物面       ∞          ∞
1       48.8438     1.0000       2.14352      17.77
2*      11.8544     2.8000
3      -29.7268     9.8000       2.14352      17.77
4         ∞        0.2000
5       17.3005     2.7000       1.75520      27.51
6      -47.1388     0.1500
7*      13.0396     3.0000       1.80610      40.92
8*     -36.7988     0.1000       1.67000      19.30
9*      91.5078     可変
10      -78.7741     0.5000       1.83481      42.71
11*      10.2672     1.1000
12      -14.0949     0.5000       1.72916      54.68
13        8.2918     1.3000       1.94595      17.98
14       27.2540     可変
15(STO)    ∞        可変
16*       7.6801     3.9828       1.83481      42.71
17*     -64.2740     0.1500
18        8.2756     2.1000       1.69680      55.53
19      -14.4365     0.5000       2.00069      25.46
20        5.9078     可変
21*       8.7416     1.5000       1.52540      56.25
22       24.6527     可変
23       81.0820     0.6000       2.14352      17.77
24       10.8703     3.1000       1.48749      70.23
25*      -8.3023     0.6000
26         ∞        0.8000       1.51633      64.14
27         ∞        0.4999 
像画       ∞
【０２２４】
非球面データ
第２面
K=0.0498,
A2=0.0000E+00,A4=-1.3925E-04,A6=2.8042E-07,A8=-1.1379E-08,A10=0.0000E+00
第７面
K=0.0272,
A2=0.0000E+00,A4=-5.4638E-05,A6=1.9698E-06,A8=-1.6771E-08,A10=0.0000E+00
第８面
K=0.0936,
A2=0.0000E+00,A4=-1.1220E-04,A6=1.6578E-06,A8=8.9828E-08,A10=0.0000E+00
第９面
K=0.5504,
A2=0.0000E+00,A4=1.1911E-04,A6=4.6910E-06,A8=-9.1582E-08,A10=0.0000E+00
第１１面
K=-0.8331,
A2=0.0000E+00,A4=2.2507E-04,A6=-7.1701E-07,A8=1.4359E-06,A10=0.0000E+00
第１６面
K=-0.5705,
A2=0.0000E+00,A4=2.6285E-04,A6=1.6592E-05,A8=-1.1215E-07,A10=0.0000E+00
第１７面
K=-0.7197,
A2=0.0000E+00,A4=6.4343E-04,A6=2.1920E-05,A8=8.2869E-07,A10=0.0000E+00
第２１面
K=-0.7247,
A2=0.0000E+00,A4=-3.4170E-04,A6=1.6958E-05,A8=-1.9597E-06,A10=0.0000E+00
第２５面
K=0.0433,
A2=0.0000E+00,A4=-9.4693E-04,A6=9.5646E-05,A8=-4.1316E-06,A10=0.0000E+00
【０２２５】
各種データ
ズーム比       4.99
広角         中間           望遠
焦点距離       5.00516      11.17413       24.99304
Ｆナンバー     3.6331        3.9510         5.9000
画角          43.4°        19.0°          8.6°
像高           3.84          3.84           3.84
レンズ全長    59.9108       59.9147        59.9110
ＢＦ           0.49986       0.49986        0.49986
d9             0.79553       5.59358        7.88345
d14            8.47749       3.69199        1.38960
d15            6.09817       5.31356        1.19254
d20            3.18290       2.98040       10.95933
d22            4.37407       5.31520        1.50350
【０２２６】
ズームレンズ群データ
群   始面     焦点距離
1     1      10.60778
2    10      -6.17835
3    16      11.19498
4    21      24.96809
5    23      55.22906
【０２２７】
〔硝材屈折率テーブル〕・・・ 本実施例にて使用した媒質の波長別屈折率一覧
GLA                 587.56   656.27   486.13   435.84   404.66
L5                  1.669997 1.660518 1.695229 1.715500 1.733133
L8                  1.945950 1.931230 1.983830 2.018254 2.051063
L1,L2,L13           2.143520 2.125601 2.189954 2.232324 2.273190
L15                 1.516330 1.513855 1.521905 1.526213 1.529768
L14                 1.487490 1.485344 1.492285 1.495963 1.498983
L4                  1.806098 1.800248 1.819945 1.831173 1.840781
L6,L9               1.834807 1.828975 1.848520 1.859547 1.868911
L10                 1.696797 1.692974 1.705522 1.712339 1.718005
L7                  1.729157 1.725101 1.738436 1.745696 1.751731
L3                  1.755199 1.747295 1.774745 1.791495 1.806556
L11                 2.000690 1.989410 2.028720 2.052834 2.074603
L12                 1.525400 1.522460 1.531800 1.537220 1.543549
【０２２８】
数値実施例６
単位  ｍｍ
面データ
面番号       ｒ           ｄ          ｎｄ         νｄ
物面       ∞          ∞
1     -819.5878      0.8000       2.14352      17.77
2       14.9834      1.7000
3         ∞        10.5000       2.14352      17.77
4         ∞         0.2000
5       32.6307      2.3000       1.88300      40.76
6      -34.8939      0.1500
7*      24.7787      2.5000       1.80610      40.92
8*     -26.9185      0.1000       1.63494      23.22
9*     -46.7965      可変
10      -82.3288      0.5000       1.83481      42.71
11*      10.6980      1.2000
12      -16.2705      0.5000       1.81600      46.62
13        6.3195      1.4000       1.92286      20.88
14       35.7854      可変
15(STO)    ∞               可変
16*       5.8621      2.5000       1.83481      42.71
17*     -91.4272      0.1500
18        9.2790      1.6000       1.69680      55.53
19      -18.8886      0.2000       1.63494      23.22
20      -49.2783      0.5000       2.00069      25.46
21        4.2057      可変
22*      16.6942      1.6000       1.52540      56.25
23      -27.2535      可変
24      -11.0525      0.6000       2.14352      17.77
25      -36.9413      0.1500
26       38.1188      3.4000       1.48749      70.23
27*      -7.0763      0.7000
28         ∞         0.8000       1.51633      64.14
29         ∞         0.7999
像面        ∞
【０２２９】
非球面データ
第７面  
K=-0.0484,
A2=0.0000E+00,A4=1.4563E-05,A6=-7.6488E-07,A8=4.4586E-09,A10=0.0000E+00
第８面
K=0.0031,
A2=0.0000E+00,A4=-1.3425E-04,A6=2.6003E-06,A8=6.4483E-09,A10=0.0000E+00
第９面
K=-0.0028,
A2=0.0000E+00,A4=1.0040E-04,A6=-2.1816E-06,A8=9.3935E-09,A10=0.0000E+00
第１１面
K=-0.9165,
A2=0.0000E+00,A4=8.7967E-05,A6=6.6746E-06,A8=1.7677E-07,A10=0.0000E+00
第１６面
K=-0.6217,
A2=0.0000E+00,A4=3.4602E-04,A6=2.3472E-05,A8=1.9916E-06,A10=0.0000E+00
第１７面
K=1.5587,
A2=0.0000E+00,A4=9.2867E-04,A6=2.5002E-05,A8=4.2526E-06,A10=0.0000E+00
第２２面
K=-0.5835,
A2=0.0000E+00,A4=-1.1710E-04,A6=-3.2496E-06,A8=-6.5599E-07,A10=0.0000E+00
第２７面
K=-0.0556,
A2=0.0000E+00,A4=1.3775E-03,A6=-9.2249E-05,A8=1.7867E-06,A10=0.0000E+00
【０２３０】
各種データ
ズーム比       4.94
広角         中間           望遠
焦点距離       6.06430      13.52278       29.95434
Ｆナンバー     3.9605        4.0905         4.9000
画角          37.3°        15.7°          7.2°
像高           3.84          3.84           3.84
レンズ全長    58.0735       58.0555        58.0733
ＢＦ           0.79985       0.79985        0.79985
d9             0.59281       5.69004        8.08420
d14            8.89327       3.78953        1.40190
d15            5.61102       5.14474        1.20110
d21            3.04769       2.83493       11.03702
d23            5.07890       5.73353        1.49967
【０２３１】
ズームレンズ群データ
群   始面     焦点距離
1     1      11.84782
2    10      -6.38831
3    16      11.74568
4    22      19.95454
5    24      44.45692
【０２３２】
〔硝材屈折率テーブル〕・・・ 本実施例にて使用した媒質の波長別屈折率一覧
GLA                 587.56   656.27   486.13   435.84   404.66
L5,L11              1.634937 1.627308 1.654649 1.670343 1.683846
L8                  1.922860 1.910380 1.954570 1.982810 2.009190
L1,L2,L14           2.143520 2.125601 2.189954 2.232324 2.273184
L16                 1.516330 1.513855 1.521905 1.526213 1.529768
L15                 1.487490 1.485344 1.492285 1.495963 1.498983
L4                  1.806098 1.800248 1.819945 1.831173 1.840781
L6,L9               1.834807 1.828975 1.848520 1.859547 1.868911
L3                  1.882997 1.876560 1.898221 1.910495 1.920919
L7                  1.816000 1.810749 1.828252 1.837996 1.846185
L10                 1.696797 1.692974 1.705522 1.712339 1.718005
L12                 2.000690 1.989410 2.028720 2.052834 2.074600
L13                 1.525400 1.522460 1.531800 1.537220 1.543548
【０２３３】
数値実施例７
単位  ｍｍ
面データ
面番号       ｒ           ｄ        ｎｄ         νｄ
物面       ∞          ∞
1       70.9333      1.0000       2.14352      17.77
2       13.8272      1.7000
3         ∞         9.8000       2.14352      17.77
4         ∞         0.2000
5*      40.8010      2.2000       1.74320      49.34
6      -23.9074      0.1500
7       17.1132      1.8000       1.80610      40.92
8     -518.0523      可変
9      -27.8003      0.5000       1.81600      46.62
10       12.0815      0.9000
11*     -15.4460      0.6000       1.69350      53.21
12*      10.8240      0.5000       1.73000      16.50
13*     141.6381      可変
14(STO)    ∞         可変
15*       6.2230      2.5000       1.83481      42.71
16*     -23.3251      0.1500
17       10.1846      1.6000       1.69680      55.53
18      -24.9318      0.5000       2.00069      25.46
19        4.3329      可変
20*       8.9455      1.6000       1.52540      56.25
21       26.3255      可変
22      -49.4362      0.6000       2.14352      17.77
23       20.0790      2.0000       1.51633      64.14
24       -9.8555      0.6000
25         ∞         0.8000       1.51633      64.14
26         ∞         0.5010
像面       ∞
【０２３４】
非球面データ
第５面
K=-0.3202,
A2=0.0000E+00,A4=1.2174E-05,A6=6.3672E-08,A8=-6.8681E-10,A10=0.0000E+00
第１１面
K=-0.2788,
A2=0.0000E+00,A4=3.9206E-04,A6=-5.7360E-05,A8=2.8799E-06,A10=0.0000E+00
第１２面
K=-1.0000,
A2=0.0000E+00,A4=2.0000E-04,A6=0.0000E+00,A8=0.0000E+00,A10=0.0000E+00
第１３面
K=0.0225,
A2=0.0000E+00,A4=3.0156E-04,A6=-4.7185E-05,A8=2.8163E-06,A10=0.0000E+00
第１５面 
K=-0.5926,
A2=0.0000E+00,A4=-3.5989E-05,A6=-7.2139E-07,A8=1.1710E-06,A10=0.0000E+00
第１６面
K=-0.7618,
A2=0.0000E+00,A4=4.1404E-04,A6=-1.0699E-06,A8=1.5036E-06,A10=0.0000E+00
第２０面
K=-0.7017,
A2=0.0000E+00,A4=-1.5674E-04,A6=6.6734E-06,A8=-3.1995E-07,A10=0.0000E+00
【０２３５】
各種データ
ズーム比       4.95
広角         中間           望遠
焦点距離       6.05384      13.53302       29.95922
Ｆナンバー     3.5818        3.9354         5.9000
画角          36.7°        15.5°          7.1°
像高           3.84          3.84           3.84
レンズ全長    54.9923       54.9985        54.9920
ＢＦ           0.50095       0.50095        0.50095
d8             0.69744       5.70509        8.03620
d13            8.75348       3.75399        1.41439
d14            6.58723       5.51434        1.20483
d19            3.86314       4.16093       12.63108
d21            4.89004       5.66351        1.50446
【０２３６】
ズームレンズ群データ
群   始面     焦点距離
1     1      12.99315
2     9      -6.71608
3    15      11.50294
4    20      24.99695
5    22     517.96939
【０２３７】
〔硝材屈折率テーブル〕・・・ 本実施例にて使用した媒質の波長別屈折率一覧
GLA                 587.56   656.27   486.13   435.84   404.66
L7                  1.729996 1.718099 1.762336 1.793147 1.822977 (LA)
L1,L2,L12           2.143520 2.125601 2.189954 2.232324 2.273190
L13,L14             1.516330 1.513855 1.521905 1.526213 1.529768
L4                  1.806098 1.800248 1.819945 1.831173 1.840781
L8                  1.834807 1.828975 1.848520 1.859547 1.868911
L5                  1.816000 1.810749 1.828252 1.837996 1.846185
L6                  1.693501 1.689548 1.702582 1.709715 1.715662 (LB)
L9                  1.696797 1.692974 1.705522 1.712339 1.718005
L3                  1.743198 1.738653 1.753716 1.762046 1.769040
L10                 2.000690 1.989410 2.028720 2.052834 2.074603
L11                 1.525400 1.522460 1.531800 1.537220 1.543549
【０２３８】
数値実施例８
単位  ｍｍ
面データ
面番号       ｒ         ｄ          ｎｄ         νｄ
物面       ∞          ∞
1       65.8684      1.0000       2.14352      17.77
2       13.6116      1.7000
3         ∞         9.8000       2.14352      17.77
4         ∞         0.2000
5*      38.9623      2.2000       1.74320      49.34
6      -24.3905      0.1500
7       17.3836      1.8000       1.80610      40.92
8     -314.9651      可変
9      -24.6323      0.5000       1.81600      46.62
10       12.4982      0.9000
11*     -16.0731      0.5000       1.73000      16.50
12*      -6.8351      0.6000       1.69350      53.21
13      113.3352      可変
14(STO)    ∞         可変
15*       6.1962      2.5000       1.83481      42.71
16*     -18.9117      0.1500
17       11.5005      1.6000       1.69680      55.53
18      -22.0689      0.5000       2.00069      25.46
19        4.3037      可変
20*       9.1414      1.6000       1.52540      56.25
21       28.3468      可変
22     -231.7696      0.6000       2.14352      17.77
23       15.7331      2.0000       1.51633      64.14
24      -12.2434      0.6000
25         ∞         0.8000       1.51633      64.14
26         ∞         0.5005
像面       ∞
【０２３９】
非球面データ
第５面
K=-0.3197,
A2=0.0000E+00,A4=1.0806E-05,A6=7.9986E-08,A8=-9.7084E-10,A10=0.0000E+00
第１１面
K=-0.2811,
A2=0.0000E+00,A4=1.6037E-04,A6=-1.8892E-05,A8=8.0861E-07,A10=0.0000E+00
第１２面
K=-1.0000,
A2=0.0000E+00,A4=-1.0000E-04,A6=0.0000E+00,A8=0.0000E+00,A10=0.0000E+00
第１５面
K=-0.5926,
A2=0.0000E+00,A4=-2.0163E-04,A6=1.1143E-05,A8=-2.2744E-07,A10=0.0000E+00
第１６面
K=-0.7610,
A2=0.0000E+00,A4=3.2549E-04,A6=8.9816E-06,A8=-2.7426E-07,A10=0.0000E+00
第２０面
K=-0.7014,
A2=0.0000E+00,A4=-5.2357E-05,A6=8.5324E-06,A8=-2.7757E-07,A10=0.0000E+00
【０２４０】
各種データ
ズーム比       4.95
広角         中間           望遠
焦点距離       6.05811      13.53447       29.96037
Ｆナンバー     3.6049        3.9258         5.9000
画角          36.7°        15.5°          7.1°
像高           3.84          3.84           3.84
レンズ全長    54.9971       54.9961        54.9970
ＢＦ           0.50053       0.50053        0.50053
d8             0.70330       5.73038        8.03038
d13            8.73335       3.70646        1.40616
d14            6.49635       5.53905        1.20249
d19            3.94810       4.12049       12.65643
d21            4.91546       5.69788        1.50090
【０２４１】
ズームレンズ群データ
群   始面     焦点距離
1     1     12.91644
2     9      -6.66266
3    15      11.50228
4    20      24.96428
5    22   -7808.43386
【０２４２】
〔硝材屈折率テーブル〕・・・ 本実施例にて使用した媒質の波長別屈折率一覧
GLA                 587.56   656.27   486.13   435.84   404.66
L6                  1.729996 1.718099 1.762336 1.793147 1.822977 (LA)
L1,L2,L12           2.143520 2.125601 2.189954 2.232324 2.273190
L13,L14             1.516330 1.513855 1.521905 1.526213 1.529768
L4                  1.806098 1.800248 1.819945 1.831173 1.840781
L8                  1.834807 1.828975 1.848520 1.859547 1.868911
L5                  1.816000 1.810749 1.828252 1.837996 1.846185
L7                  1.693501 1.689548 1.702582 1.709715 1.715662 (LB)
L9                  1.696797 1.692974 1.705522 1.712339 1.718005
L3                  1.743198 1.738653 1.753716 1.762046 1.769040
L10                 2.000690 1.989410 2.028720 2.052834 2.074603
L11                 1.525400 1.522460 1.531800 1.537220 1.543549
【０２４３】
数値実施例９
単位  ｍｍ
面データ
面番号       ｒ           ｄ          ｎｄ         νｄ
物面       ∞           ∞ 
1      183.3282      1.0000       2.00069      25.46
2       12.9429      2.2000
3         ∞         9.5000       2.14352      17.77
4         ∞         0.2000
5       31.8226      2.1000       1.74320      49.34
6      -27.8686      0.1500
7*      25.7898      0.1000       1.66000      20.00
8       14.2746      2.0000       1.80610      40.92
9      -57.4157      可変
10     -305.8191      0.5000       1.83481      42.71
11*      12.1796      1.2000
12      -14.2400      0.5000       1.83481      42.71
13        8.2434      1.3000       1.94595      17.98
14       39.4168      可変
15(STO)    ∞         可変
16*       7.6683      2.3000       1.80610       40.92
17*     -33.7722      0.1500
18        8.7575      2.4000       1.69680       55.53
19       -9.0483      0.2000       1.66000       20.00
20      -18.2673      0.5000       2.09500       29.40
21        5.4018      可変
22*      10.1788      1.6000       1.52540        56.25
23       42.8427      可変
24       18.7890      0.6000       2.09500        29.40
25        8.7150      2.3000       1.51742        52.43
26      -33.2050      1.0000
27         ∞         0.8675       1.51633        64.14
28         ∞         0.9995
像面       ∞
【０２４４】
非球面データ
第７面
K=-0.0280,
A2=0.0000E+00,A4=-1.0789E-05,A6=6.7761E-08,A8=-1.1595E-09,A10=0.0000E+00
第１１面
K=-0.8917,
A2=0.0000E+00,A4=5.5318E-05,A6=1.1312E-05,A8=-1.5162E-07,A10=0.0000E+00
第１６面
K=-0.6055,
A2=0.0000E+00,A4=2.0776E-04,A6=2.3572E-06,A8=1.7315E-06,A10=0.0000E+00
第１７面
K=-0.8693,
A2=0.0000E+00,A4=4.6319E-04,A6=-3.8045E-06,A8=2.8622E-06,A10=0.0000E+00
第２２面
K=-0.6715,
A2=0.0000E+00,A4=-9.5864E-05,A6=1.1837E-06,A8=-7.0698E-08,A10=0.0000E+00
【０２４５】
各種データ
ズーム比       4.95
広角         中間           望遠
焦点距離       6.05257      13.53379       29.95890
Ｆナンバー     3.7268        4.1350         5.9000
画角          36.7°        15.5°          7.0°
像高           3.84          3.84           3.84
レンズ全長    59.0023       59.0024        59.0021
ＢＦ           0.99949       0.99949        0.99949
d9             0.59951       5.55504        8.16832
d14            8.96358       4.00669        1.39485
d15            6.84353       5.63867        1.19768
d21            3.78753       3.73038       12.57587
d23            5.14120       6.40501        1.99875
【０２４６】
ズームレンズ群データ
群   始面     焦点距離
1     1      12.61627
2    10      -6.72317
3    16      12.54941
4    22      24.98887       
5    24     116.33338
【０２４７】
〔硝材屈折率テーブル〕・・・ 本実施例にて使用した媒質の波長別屈折率一覧
GLA                 587.56   656.27   486.13   435.84   404.66
L12,L14             2.094997 2.084179 2.121419 2.143451 2.162629
L4,L11              1.659997 1.650951 1.683947 1.703411 1.720477
L8                  1.945950 1.931230 1.983830 2.018254 2.051063
L2                  2.143520 2.125601 2.189954 2.232324 2.273190
L16                 1.516330 1.513855 1.521905 1.526213 1.529768
L5,L9               1.806098 1.800248 1.819945 1.831173 1.840781
L6,L7               1.834807 1.828975 1.848520 1.859547 1.868911
L10                 1.696797 1.692974 1.705522 1.712339 1.718005
L3                  1.743198 1.738653 1.753716 1.762046 1.769040
L15                 1.517417 1.514444 1.524313 1.529804 1.534439
L1                  2.000690 1.989410 2.028720 2.052834 2.074603
L13                 1.525400 1.522460 1.531800 1.537220 1.543549
【０２４８】
次に、各実施例におけるパラメータの値、条件式の値を掲げる。なお、＊＊＊は条件を満足しないことを示している。
実施例１   実施例２   実施例３   実施例４   実施例５
ｆw                         6.050       6.052      6.055      6.050      5.005
ｙ10                         3.84        3.84       3.84       3.84       3.84
βRw                        1.039       0.955      1.163      1.209      1.062
ＮRn−ＮRp                  0.62719     0.48436    0.62719    0.65603    0.65603
νRp−νRn                 46.37       38.68      46.37      52.46      52.46
RGRF                       -36.633      55.805    -16.116    -14.709     81.082
RGRR                        -9.193     -10.276     -8.469     -7.500     -8.302
(RGRF＋RGRR)/(RGRF−RGRR)    1.670       0.689      3.215      3.081      0.814
β2w                       -0.6575     -0.6460    -0.6629    -0.6957    -0.6399
β3w                       -1.0743     -1.0326    -0.7029    -0.7387    -1.1166
ｎd(ＬA3)                   ＊＊＊      ＊＊＊     ＊＊＊     ＊＊＊     ＊＊＊
νd(ＬA3)                   ＊＊＊      ＊＊＊     ＊＊＊     ＊＊＊     ＊＊＊
θgF(ＬA3)                  ＊＊＊      ＊＊＊     ＊＊＊     ＊＊＊     ＊＊＊
β(ＬA3)                    ＊＊＊      ＊＊＊     ＊＊＊     ＊＊＊     ＊＊＊
Δνd(C1)                   ＊＊＊      ＊＊＊     ＊＊＊    17.54      21.62
Δｎd(C1)                   ＊＊＊      ＊＊＊     ＊＊＊     0.24806    0.13610
θgF(ＬA1)                  ＊＊＊      ＊＊＊     ＊＊＊     0.6477     0.5840
νd(ＬA1)                   ＊＊＊      ＊＊＊     ＊＊＊    23.22      19.30
β(ＬA1)                    ＊＊＊      ＊＊＊     ＊＊＊     0.6855     0.6155
θhg(ＬA1)                  ＊＊＊      ＊＊＊     ＊＊＊     0.6003     0.5080
βhg(ＬA1)                  ＊＊＊      ＊＊＊     ＊＊＊     0.6525     0.5514
β(ＬB1)                    ＊＊＊      ＊＊＊     ＊＊＊     0.6333     0.6370
νd(ＬB1)                   ＊＊＊      ＊＊＊     ＊＊＊    40.76      40.92
θgF(ＬB1)                  ＊＊＊      ＊＊＊     ＊＊＊     0.5669     0.5703
βhg(ＬB1)                  ＊＊＊      ＊＊＊     ＊＊＊     0.5728     0.5802
θhg(ＬB1)                  ＊＊＊      ＊＊＊     ＊＊＊     0.4811     0.4881
Δνd(C2)                  22.94       31.36      22.94      22.94      36.70
Δｎd(C2)                  -0.13985    -0.20275   -0.13985   -0.13985   -0.21679
θgF(ＬA2)                  0.6543      0.6543     0.6543     0.6543     0.6543
θhg(ＬA2)                  0.6238      0.6238     0.6238     0.6238     0.6238
β(ＬA2)                    0.6836      0.6836     0.6836     0.6836     0.6836
βhg(ＬA2)                  0.6643      0.6643     0.6643     0.6643     0.6643
νd(ＬA2)                  17.98       17.98      17.98      17.98      17.98
ｙ07                        2.688       2.688      2.688      2.688      2.688
tanω07w                    0.4867      0.4746     0.4707     0.4784     0.5851
ｙ07/(fｗ・tanω07w)        0.9129      0.9358     0.9431     0.9287     0.9181
【０２４９】
実施例６   実施例７   実施例８   実施例９
ｆw                         6.064       6.054      6.058      6.053
ｙ10                         3.84        3.84       3.84       3.84
βRw                        1.127       1.075      1.061      0.972
ＮRn−ＮRp                  0.65603     0.62719    0.62719    0.57758
νRp−νRn                 52.46       46.37      46.37      23.03
RGRF                         ＊＊＊    -49.436   -231.77      18.789
RGRR                         ＊＊＊     -9.856    -12.243    -33.205
(RGRF＋RGRR)/(RGRF−RGRR)    ＊＊＊      1.498      1.112     -0.277
β2w                       -0.6474     -0.6589    -0.6578    -0.6606
β3w                       -1.3460     -1.0490    -1.0775    -1.3351
ｎd(ＬA3)                   1.63494     ＊＊＊     ＊＊＊     1.66000
νd(ＬA3)                  23.22        ＊＊＊     ＊＊＊    20.00
θgF(ＬA3)                  0.5740      ＊＊＊     ＊＊＊     0.5899
β(ＬA3)                    0.6118      ＊＊＊     ＊＊＊     0.6225
Δνd(C1)                  17.70        ＊＊＊     ＊＊＊    20.92
Δｎd(C1)                   0.17116     ＊＊＊     ＊＊＊     0.14610
θgF(ＬA1)                  0.5740      ＊＊＊     ＊＊＊     0.5899
νd(ＬA1)                  23.22        ＊＊＊     ＊＊＊    20.00
β(ＬA1)                    0.6118      ＊＊＊     ＊＊＊     0.6225
θhg(ＬA1)                  0.4939      ＊＊＊     ＊＊＊     0.5172
βhg(ＬA1)                  0.5461      ＊＊＊     ＊＊＊     0.5622
β(ＬB1)                    0.6370      ＊＊＊     ＊＊＊     0.6370
νd(ＬB1)                  40.92        ＊＊＊     ＊＊＊    40.92
θgF(ＬB1)                  0.5703      ＊＊＊     ＊＊＊     0.5703
βhg(ＬB1)                  0.5802      ＊＊＊     ＊＊＊     0.5802
θhg(ＬB1)                  0.4881      ＊＊＊     ＊＊＊     0.4881
Δνd(C2)                  52.25       36.71      36.71      24.73
Δｎd(C2)                  -0.45846    -0.03650   -0.03650   -0.11114
θgF(ＬA2)                  0.6543      0.6965     0.6965     0.6543
θhg(ＬA2)                  0.6238      0.6743     0.6743     0.6238
β(ＬA2)                    0.6836      0.7234     0.7234     0.6836
βhg(ＬA2)                  0.6643      0.7114     0.7114     0.6643
νd(ＬA2)                  17.98       16.50      16.50      17.98
ｙ07                        2.688       2.688      2.688      2.688
tanω07w                    0.4727      0.4788     0.4777     0.4786
ｙ07/(fｗ・tanω07w)        0.9377      0.9273     0.9288     0.9279
【０２５０】
さて、以上のような本発明の結像光学系は、物体の像をＣＣＤやＣＭＯＳなどの電子撮像素子で撮影する撮影装置、とりわけデジタルカメラやビデオカメラ、情報処理装置の例であるパソコン、電話、携帯端末、特に持ち運びに便利な携帯電話等に用いることができる。以下に、その実施形態を例示する。
【０２５１】
図１９〜図２１に本発明による結像光学系をデジタルカメラの撮影光学系４１に組み込んだ構成の概念図を示す。図１９はデジタルカメラ４０の外観を示す前方斜視図、図２０は同後方斜視図、図２１はデジタルカメラ４０の光学構成を示す断面図である。
【０２５２】
デジタルカメラ４０は、この例の場合、撮影用光路４２を有する撮影光学系４１、ファインダー用光路４４を有するファインダー光学系４３、シャッター４５、フラッシュ４６、液晶表示モニター４７等を含む。そして、撮影者が、カメラ４０の上部に配置されたシャッター４５を押圧すると、それに連動して撮影光学系４１、例えば実施例１のズームレンズ４８を通して撮影が行われる。
【０２５３】
撮影光学系４１によって形成された物体像は、ＣＣＤ４９の撮像面上に形成される。このＣＣＤ４９で受光された物体像は、画像処理手段５１を介し、電子画像としてカメラ背面に設けられた液晶表示モニター４７に表示される。また、この画像処理手段５１にはメモリ等が配置され、撮影された電子画像を記録することもできる。なお、このメモリは画像処理手段５１と別体に設けてもよいし、フレキシブルディスクやメモリーカード、ＭＯ等により電子的に記録書込を行うように構成してもよい。
【０２５４】
さらに、ファインダー用光路４４上には、ファインダー用対物光学系５３が配置されている。このファインダー用対物光学系５３は、カバーレンズ５４、第１プリズム１０、開口絞り２、第２プリズム２０、フォーカス用レンズ６６からなる。このファインダー用対物光学系５３によって、結像面６７上に物体像が形成される。この物体像は、像正立部材であるポロプリズム５５の視野枠５７上に形成される。このポロプリズム５５の後方には、正立正像にされた像を観察者眼球Eに導く接眼光学系５９が配置されている。
【０２５５】
このように構成されたデジタルカメラ４０によれば、撮影光学系４１の構成枚数を少なくした小型化・薄型化のズームレンズを有する電子撮像装置が実現できる。なお、本発明は、上述した沈胴式のデジタルカメラに限られず、屈曲光学系を採用する折り曲げ式のデジタルカメラにも適用できる。
【０２５６】
次に、本発明の結像光学系が対物光学系として内蔵された情報処理装置の一例であるパソコンを図２２〜図２４に示す。図２２はパソコン３００のカバーを開いた状態の前方斜視図、図２３はパソコン３００の撮影光学系３０３の断面図、図２４は図１４の側面図である。図２２〜図２４に示されるように、パソコン３００は、キーボード３０１と、情報処理手段や記録手段と、モニター３０２と、撮影光学系３０３とを有している。
【０２５７】
ここで、キーボード３０１は、外部から操作者が情報を入力するためのものである。情報処理手段や記録手段は、図示を省略している。モニター３０２は、情報を操作者に表示するためのものである。撮影光学系３０３は、操作者自身や周辺の像を撮影するためのものである。モニター３０２は、液晶表示素子やＣＲＴディスプレイ等であってよい。液晶表示素子としては、図示しないバックライトにより背面から照明する透過型液晶表示素子や、前面からの光を反射して表示する反射型液晶表示素子がある。また、図中、撮影光学系３０３は、モニター３０２の右上に内蔵されているが、その場所に限らず、モニター３０２の周囲や、キーボード３０１の周囲のどこであってもよい。
【０２５８】
この撮影光学系３０３は、撮影光路３０４上に、例えば実施例１のズームレンズからなる対物光学系１００と、像を受光する電子撮像素子チップ１６２とを有している。これらはパソコン３００に内蔵されている。
【０２５９】
鏡枠の先端には、対物光学系１００を保護するためのカバーガラス１０２が配置されている。
電子撮像素子チップ１６２で受光された物体像は、端子１６６を介して、パソコン３００の処理手段に入力される。そして、最終的に、物体像は電子画像としてモニター３０２に表示される、図２３には、その一例として、操作者が撮影した画像３０５が示されている。また、この画像３０５は、処理手段を介し、遠隔地から通信相手のパソコンに表示されることも可能である。遠隔地への画像伝達は、インターネットや電話を利用する。
【０２６０】
次に、本発明の結像光学系が撮影光学系として内蔵された情報処理装置の一例である電話、特に持ち運びに便利な携帯電話を図２５に示す。図２５（a）は携帯電話４００の正面図、図２５（b）は側面図、図２５（c）は撮影光学系４０５の断面図である。図２５（a）〜（c）に示されるように、携帯電話４００は、マイク部４０１と、スピーカ部４０２と、入力ダイアル４０３と、モニター４０４と、撮影光学系４０５と、アンテナ４０６と、処理手段とを有している。
【０２６１】
ここで、マイク部４０１は、操作者の声を情報として入力するためのものである。スピーカ部４０２は、通話相手の声を出力するためのものである。入力ダイアル４０３は、操作者が情報を入力するためのものである。モニター４０４は、操作者自身や通話相手等の撮影像や、電話番号等の情報を表示するためのものである。アンテナ４０６は、通信電波の送信と受信を行うためのものである。処理手段（不図示）は、画像情報や通信情報、入力信号等の処理を行ためのものである。
【０２６２】
ここで、モニター４０４は液晶表示素子である。また、図中、各構成の配置位置、特にこれらに限られない。この撮影光学系４０５は、撮影光路４０７上に配された対物光学系１００と、物体像を受光する電子撮像素子チップ１６２とを有している。対物光学系１００としては、例えば実施例１のズームレンズが用いられる。これらは、携帯電話４００に内蔵されている。
【０２６３】
鏡枠の先端には、対物光学系１００を保護するためのカバーガラス１０２が配置されている。
電子撮影素子チップ１６２で受光された物体像は、端子１６６を介して、図示していない画像処理手段に入力される。そして、最終的に物体像は、電子画像としてモニター４０４に、又は、通信相手のモニターに、又は、両方に表示される。また、処理手段には信号処理機能が含まれている。通信相手に画像を送信する場合、この機能により、電子撮像素子チップ１６２で受光された物体像の情報を、送信可能な信号へと変換する。
【０２６４】
なお、本発明は、その趣旨を逸脱しない範囲で様々な変形例をとることができる。
【図面の簡単な説明】
【０２６５】
【図１】本発明の実施例１にかかるズームレンズの（ａ）は広角端、（ｂ）は中間、（ｃ）は望遠端における無限遠物点合焦時の光学構成を示す光軸に沿う断面図である。
【図２】実施例１にかかるズームレンズの無限遠物点合焦時における球面収差、非点収差、歪曲収差、倍率色収差を示す図であり、（a）は広角端、（b）は中間、（c）は望遠端での状態を示している。
【図３】本発明の実施例２にかかるズームレンズの（ａ）は広角端、（ｂ）は中間、（ｃ）は望遠端における無限遠物点合焦時の光学構成を示す光軸に沿う断面図である。
【図４】実施例２にかかるズームレンズの無限遠物点合焦時における球面収差、非点収差、歪曲収差、倍率色収差を示す図であり、（a）は広角端、（b）は中間、（c）は望遠端での状態を示している。
【図５】本発明の実施例３にかかるズームレンズの（ａ）は広角端、（ｂ）は中間、（ｃ）は望遠端における無限遠物点合焦時の光学構成を示す光軸に沿う断面図である。
【図６】実施例３にかかるズームレンズの無限遠物点合焦時における球面収差、非点収差、歪曲収差、倍率色収差を示す図であり、（a）は広角端、（b）は中間、（c）は望遠端での状態を示している。
【図７】本発明の実施例４にかかるズームレンズの（ａ）は広角端、（ｂ）は中間、（ｃ）は望遠端における無限遠物点合焦時の光学構成を示す光軸に沿う断面図である。
【図８】実施例４にかかるズームレンズの無限遠物点合焦時における球面収差、非点収差、歪曲収差、倍率色収差を示す図であり、（a）は広角端、（b）は中間、（c）は望遠端での状態を示している。
【図９】本発明の実施例５にかかるズームレンズの（ａ）は広角端、（ｂ）は中間、（ｃ）は望遠端における無限遠物点合焦時の光学構成を示す光軸に沿う断面図である。
【図１０】実施例５にかかるズームレンズの無限遠物点合焦時における球面収差、非点収差、歪曲収差、倍率色収差を示す図であり、（a）は広角端、（b）は中間、（c）は望遠端での状態を示している。
【図１１】本発明の実施例６にかかるズームレンズの（ａ）は広角端、（ｂ）は中間、（ｃ）は望遠端における無限遠物点合焦時の光学構成を示す光軸に沿う断面図である。
【図１２】実施例６にかかるズームレンズの無限遠物点合焦時における球面収差、非点収差、歪曲収差、倍率色収差を示す図であり、（a）は広角端、（b）は中間、（c）は望遠端での状態を示している。
【図１３】本発明の実施例７にかかるズームレンズの（ａ）は広角端、（ｂ）は中間、（ｃ）は望遠端における無限遠物点合焦時の光学構成を示す光軸に沿う断面図である。
【図１４】実施例７にかかるズームレンズの無限遠物点合焦時における球面収差、非点収差、歪曲収差、倍率色収差を示す図であり、（a）は広角端、（b）は中間、（c）は望遠端での状態を示している。
【図１５】本発明の実施例８にかかるズームレンズの（ａ）は広角端、（ｂ）は中間、（ｃ）は望遠端における無限遠物点合焦時の光学構成を示す光軸に沿う断面図である。
【図１６】実施例８にかかるズームレンズの無限遠物点合焦時における球面収差、非点収差、歪曲収差、倍率色収差を示す図であり、（a）は広角端、（b）は中間、（c）は望遠端での状態を示している。
【図１７】本発明の実施例９にかかるズームレンズの（ａ）は広角端、（ｂ）は中間、（ｃ）は望遠端における無限遠物点合焦時の光学構成を示す光軸に沿う断面図である。
【図１８】実施例９にかかるズームレンズの無限遠物点合焦時における球面収差、非点収差、歪曲収差、倍率色収差を示す図であり、（a）は広角端、（b）は中間、（c）は望遠端での状態を示している。
【図１９】本発明によるズーム光学系を組み込んだデジタルカメラ４０の外観を示す前方斜視図である。
【図２０】デジタルカメラ４０の後方斜視図である。
【図２１】デジタルカメラ４０の光学構成を示す断面図である。
【図２２】本発明のズーム光学系が対物光学系として内蔵された情報処理装置の一例であるパソコン３００のカバーを開いた状態の前方斜視図である。
【図２３】パソコン３００の撮影光学系３０３の断面図である。
【図２４】パソコン３００の側面図である。
【図２５】本発明のズーム光学系が撮影光学系として内蔵された情報処理装置の一例である携帯電話を示す図であり、（a）は携帯電話４００の正面図、（b）は側面図、（c）は撮影光学系４０５の断面図である。
【符号の説明】
【０２６６】
Ｇ１          第１レンズ群
Ｇ２          第２レンズ群
Ｇ３          第３レンズ群
Ｇ４          第４レンズ群
Ｇ５          第５レンズ群
Ｌ１〜Ｌ１３        各レンズ
ＬＰＦ        ローパスフィルタ
ＣＧ          カバーガラス
Ｉ            撮像面
Ｅ            観察者の眼球
４０          デジタルカメラ
４１          撮影光学系
４２          撮影用光路
４３          ファインダー光学系
４４          ファインダー用光路
４５          シャッター
４６          フラッシュ
４７          液晶表示モニター
４８          ズームレンズ
４９          ＣＣＤ
５０          撮像面
５１          処理手段
５３          ファインダー用対物光学系
５５          ポロプリズム
５７          視野枠
５９          接眼光学系
６６          フォーカス用レンズ
６７          結像面
１００        対物光学系
１０２        カバーガラス
１６２        電子撮像素子チップ
１６６        端子
３００        パソコン
３０１        キーボード
３０２        モニター
３０３        撮影光学系
３０４        撮影光路
３０５        画像
４００        携帯電話
４０１        マイク部
４０２        スピーカ部
４０３        入力ダイアル
４０４        モニター
４０５        撮影光学系
４０６        アンテナ
４０７        撮影光路
【図１】
0005209366.tif 000002
【図２】
0005209366.tif 000003
【図３】
0005209366.tif 000004
【図４】
0005209366.tif 000005
【図５】
0005209366.tif 000006
【図６】
0005209366.tif 000007
【図７】
0005209366.tif 000008
【図８】
0005209366.tif 000009
【図９】
0005209366.tif 000010
【図１０】
0005209366.tif 000011
【図１１】
0005209366.tif 000012
【図１２】
0005209366.tif 000013
【図１３】
0005209366.tif 000014
【図１４】
0005209366.tif 000015
【図１５】
0005209366.tif 000016
【図１６】
0005209366.tif 000017
【図１７】
0005209366.tif 000018
【図１８】
0005209366.tif 000019
【図１９】
0005209366.tif 000020
【図２０】
0005209366.tif 000021
【図２１】
0005209366.tif 000022
【図２２】
0005209366.tif 000023
【図２３】
0005209366.tif 000024
【図２４】
0005209366.tif 000025
【図２５】
0005209366.tif 000026